(57)【要約】タッチパネルパターンＴＰＰは、第１方向に沿って延在するとともに第１方向と直交する第２方向に沿って並んで配される複数の検出電極３８と、複数の検出電極３８に対して平面視においてそれぞれ重畳する形で第２方向に沿って延在するとともに第１方向に沿って並んで配されて検出電極３８との間で静電容量を形成する複数の駆動電極３９と、複数の検出電極３８に対して平面視においてそれぞれ隣り合う形で配されるとともに複数の駆動電極３９に対して平面視において重畳する形で配されていて隣り合う検出電極３８との間と、重畳する駆動電極３９との間と、でそれぞれ静電容量を形成する複数のフローティング電極４５と、複数の検出電極３８に含まれて第２方向について最も端に位置するとともにその幅が中央側のものよりも広い幅広検出電極４９と、を備える。
2016084728.tif 000002
【特許請求の範囲】
【請求項１】
第１方向に沿って延在するとともに前記第１方向と直交する第２方向に沿って並んで配される複数の第１位置検出電極と、
複数の前記第１位置検出電極に対して平面視においてそれぞれ重畳する形で前記第２方向に沿って延在するとともに前記第１方向に沿って並んで配されて前記第１位置検出電極との間で静電容量を形成する複数の第２位置検出電極と、
複数の前記第１位置検出電極に対して平面視においてそれぞれ隣り合う形で配されるとともに複数の前記第２位置検出電極に対して平面視において重畳する形で配されていて隣り合う前記第１位置検出電極との間と、重畳する前記第２位置検出電極との間と、でそれぞれ静電容量を形成する複数のフローティング電極と、
複数の前記第１位置検出電極に含まれて前記第２方向について最も端に位置するとともにその幅が中央側のものよりも広い幅広第１位置検出電極と、を備える位置入力装置。
【請求項２】
第１方向に沿って延在するとともに前記第１方向と直交する第２方向に沿って並んで配される複数の第１位置検出電極と、
複数の前記第１位置検出電極に対して平面視においてそれぞれ重畳する形で前記第２方向に沿って延在するとともに前記第１方向に沿って並んで配されて前記第１位置検出電極との間で静電容量を形成する複数の第２位置検出電極と、
複数の前記第１位置検出電極に対して平面視においてそれぞれ隣り合う形で配されるとともに複数の前記第２位置検出電極に対して平面視において重畳する形で配されていて隣り合う前記第１位置検出電極との間と、重畳する前記第２位置検出電極との間と、でそれぞれ静電容量を形成する複数のフローティング電極と、
複数の前記第１位置検出電極に含まれて前記第２方向について最も端に位置する分岐型第１位置検出電極であって、前記第１方向に沿って延在するとともに前記第２方向に沿って並んで配される複数の分岐電極を相互に繋いでなる分岐型第１位置検出電極と、
複数の前記分岐電極の間に挟まれる形で配されて複数の前記分岐電極との間で静電容量を形成する分岐電極間フローティング電極と、を備える位置入力装置。
【請求項３】
前記分岐型第１位置検出電極は、複数の前記分岐電極における幅の合計が、複数の前記第１位置検出電極のうちの中央側のものの幅と等しくなるよう構成されている請求項２記載の位置入力装置。
【請求項４】
第１方向に沿って延在するとともに前記第１方向と直交する第２方向に沿って並んで配される複数の第１位置検出電極と、
複数の前記第１位置検出電極に対して平面視においてそれぞれ重畳する形で前記第２方向に沿って延在するとともに前記第１方向に沿って並んで配されて前記第１位置検出電極との間で静電容量を形成する複数の第２位置検出電極と、
複数の前記第１位置検出電極に対して平面視においてそれぞれ隣り合う形で配されるとともに複数の前記第２位置検出電極に対して平面視において重畳する形で配されていて隣り合う前記第１位置検出電極との間と、重畳する前記第２位置検出電極との間と、でそれぞれ静電容量を形成する複数の第１フローティング電極と、
複数の前記第１位置検出電極のうち前記第２方向について最も端に位置するものに対して前記第２方向について端側に隣り合う前記第１フローティング電極に対してさらに前記第２方向について端側に隣り合う形で配されるとともに前記第２位置検出電極とは非重畳となるよう配されていて最も端に位置する前記第１位置検出電極との間で静電容量を形成する第２フローティング電極と、を備える位置入力装置。
【請求項５】
前記第１フローティング電極は、複数の前記第２位置検出電極に対して個々に重畳するよう前記第１方向について分割される複数の分割第１フローティング電極から構成されるのに対し、前記第２フローティング電極は、前記分割第１フローティング電極よりも前記第１方向について長くなるよう延在する形で設けられている請求項４記載の位置入力装置。
【請求項６】
前記第２フローティング電極は、前記第１フローティング電極と同一の透明電極膜からなる請求項４または請求項５記載の位置入力装置。
【請求項７】
前記第１フローティング電極の形成層と前記第２フローティング電極の形成層とが互いに異なるものとされていてそれらの間に介在する形で配される絶縁層を備えている請求項４または請求項５記載の位置入力装置。
【請求項８】
複数の前記フローティング電極または複数の前記第１フローティング電極には、前記第２方向について最も端に位置するとともに、その幅が中央側のものよりも狭い幅狭フローティング電極または幅狭第１フローティング電極が含まれている請求項１から請求項７のいずれか１項に記載の位置入力装置。
【請求項９】
請求項１から請求項８のいずれか１項に位置入力装置と、前記位置入力装置を備える表示パネルと、を少なくとも備える位置入力機能付き表示装置。
【請求項１０】
前記表示パネルは、画像が表示される表示領域に配される表示素子を少なくとも有するアレイ基板と、前記アレイ基板と対向状をなす形で間隔を空けて配される対向基板と、を備えており、
前記位置入力装置は、前記第２位置検出電極が前記対向基板における前記アレイ基板側を向いた板面において前記表示領域に設けられるのに対し、前記第１位置検出電極と前記フローティング電極または前記第１フローティング電極とが前記対向基板における前記アレイ基板側とは反対側を向いた板面において前記表示領域に設けられることで、前記表示パネルに一体化されている請求項９記載の位置入力機能付き表示装置。
【発明の詳細な説明】
【技術分野】
【０００１】
本発明は、位置入力装置、及び位置入力機能付き表示装置に関する。
【背景技術】
【０００２】
近年、タブレット型ノートパソコンや携帯型情報端末などの電子機器において、操作性及びユーザビリティを高めることを目的として、タッチパネルの搭載が進められている。タッチパネルは、例えば指やタッチペンにより触れることで、表示パネルの表示面の面内における位置情報を入力することができる。これにより、使用者に表示パネルに表示された画像に直接触れるような、直感的な操作を可能としている。このようなタッチパネルの一例として下記特許文献１に記載されたものが知られている。【０００３】
この特許文献１には、タッチパネルコントローラは、ドライブラインＤＬ１〜ＤＬ４とセンスラインＳＬ３との間に形成される静電容量Ｃ３１〜Ｃ３４及び、ドライブラインＤＬ１〜ＤＬ４とセンスラインＳＬ４との間に形成される静電容量Ｃ４１〜Ｃ４４に対して、符号系列に基づいて、ドライブラインＤＬ１〜ＤＬ４を駆動して、静電容量Ｃ３１〜Ｃ３４からの第１線形和出力を出力させ、及び、静電容量Ｃ４１〜Ｃ４４からの第２線形和出力を出力させる駆動部と、第１線形和出力と第２線形和出力との差分を増幅する差動増幅器と、静電容量Ｃ３１〜Ｃ３４の容量値と静電容量Ｃ４１〜Ｃ４４の容量値とのライン依存性を補正する飽和防止制御部と、を備える構成が記載されている。
【先行技術文献】
【特許文献】
【０００４】
【特許文献１】特開２０１３−３６０３号公報
【０００５】
（発明が解決しようとする課題）
ところで、複数のセンスラインのうち、最も端に位置するセンスラインに係る静電容量は、それよりも中央側に位置するセンスラインに係る静電容量よりも小さくなる傾向にある。このため、最も端に位置するセンスラインとそれに隣り合うセンスラインとの間の静電容量の差は、中央側において互いに隣り合うセンスラインの間の静電容量の差に比べると、相対的に大きくなる。ここで、上記した特許文献１に記載したように、隣り合うセンスラインの静電容量の差分をとることで位置検出を行うと、最も端に位置するセンスラインとそれに隣り合うセンスラインとの間で静電容量の差分をとる際に大きなノイズが生じてしまい、位置検出感度が局所的に低下するおそれがあった。
【発明の概要】
【０００６】
本発明は上記のような事情に基づいて完成されたものであって、位置検出感度の局所的な低下を抑制することを目的とする。
【０００７】
（課題を解決するための手段）
本発明の第１の位置入力装置は、第１方向に沿って延在するとともに前記第１方向と直交する第２方向に沿って並んで配される複数の第１位置検出電極と、複数の前記第１位置検出電極に対して平面視においてそれぞれ重畳する形で前記第２方向に沿って延在するとともに前記第１方向に沿って並んで配されて前記第１位置検出電極との間で静電容量を形成する複数の第２位置検出電極と、複数の前記第１位置検出電極に対して平面視においてそれぞれ隣り合う形で配されるとともに複数の前記第２位置検出電極に対して平面視において重畳する形で配されていて隣り合う前記第１位置検出電極との間と、重畳する前記第２位置検出電極との間と、でそれぞれ静電容量を形成する複数のフローティング電極と、複数の前記第１位置検出電極に含まれて前記第２方向について最も端に位置するとともにその幅が中央側のものよりも広い幅広第１位置検出電極と、を備える。
【０００８】
このようにすれば、第１位置検出電極とそれに重畳する第２位置検出電極との間に静電容量が形成されるのに加えて、フローティング電極とそれに隣り合う第１位置検出電極との間と、フローティング電極とそれに重畳する第２位置検出電極との間と、にそれぞれ静電容量が形成されるので、位置検出感度（Ｓ／Ｎ比）がより高いものとなる。ところで、第２方向に沿って並ぶ複数の第１位置検出電極のうち第２方向について最も端に位置するものは、中央側に位置するものに比べると、隣り合うフローティング電極との間に形成される静電容量が相対的に小さくなりがちとなってその容量値の差が大きくなる傾向にあるため、位置検出に際して大きなノイズが生じて位置検出感度が局所的に低下することが懸念される。その点、複数の第１位置検出電極に含まれて第２方向について最も端に位置するものが、中央側のものよりも幅広な幅広第１位置検出電極とされているので、隣り合うフローティング電極との間に形成される静電容量が大きくなって、中央側の第１位置検出電極との間に生じ得る容量値の差が緩和される。これにより、位置検出に際して幅広第１位置検出電極がノイズの影響を受け難いものとなり、位置検出感度が端側において局所的に低下する事態が生じ難くなる。
【０００９】
本発明の第２の位置入力装置は、第１方向に沿って延在するとともに前記第１方向と直交する第２方向に沿って並んで配される複数の第１位置検出電極と、複数の前記第１位置検出電極に対して平面視においてそれぞれ重畳する形で前記第２方向に沿って延在するとともに前記第１方向に沿って並んで配されて前記第１位置検出電極との間で静電容量を形成する複数の第２位置検出電極と、複数の前記第１位置検出電極に対して平面視においてそれぞれ隣り合う形で配されるとともに複数の前記第２位置検出電極に対して平面視において重畳する形で配されていて隣り合う前記第１位置検出電極との間と、重畳する前記第２位置検出電極との間と、でそれぞれ静電容量を形成する複数のフローティング電極と、複数の前記第１位置検出電極に含まれて前記第２方向について最も端に位置する分岐型第１位置検出電極であって、前記第１方向に沿って延在するとともに前記第２方向に沿って並んで配される複数の分岐電極を相互に繋いでなる分岐型第１位置検出電極と、複数の前記分岐電極の間に挟まれる形で配されて複数の前記分岐電極との間で静電容量を形成する分岐電極間フローティング電極と、を備える。
【００１０】
このようにすれば、第１位置検出電極とそれに重畳する第２位置検出電極との間に静電容量が形成されるのに加えて、フローティング電極とそれに隣り合う第１位置検出電極との間と、フローティング電極とそれに重畳する第２位置検出電極との間と、にそれぞれ静電容量が形成されるので、位置検出感度（Ｓ／Ｎ比）がより高いものとなる。ところで、第２方向に沿って並ぶ複数の第１位置検出電極のうち第２方向について最も端に位置するものは、中央側に位置するものに比べると、隣り合うフローティング電極との間に形成される静電容量が相対的に小さくなりがちとなってその容量値の差が大きくなる傾向にあるため、位置検出に際して大きなノイズが生じて位置検出感度が局所的に低下することが懸念される。その点、複数の第１位置検出電極に含まれて第２方向について最も端に位置するものが、第１方向に沿って延在するとともに第２方向に沿って並んで配される複数の分岐電極を相互に繋いでなる分岐型第１位置検出電極とされており、複数の分岐電極は、その間に挟まれる分岐電極間フローティング電極との間で静電容量を形成するものとされているから、分岐型第１位置検出電極の静電容量が大きなものとなり、中央側の第１位置検出電極との間に生じ得る容量値の差が緩和される。これにより、位置検出に際して分岐型第１位置検出電極がノイズの影響を受け難いものとなり、位置検出感度が端側において局所的に低下する事態が生じ難くなる。
【００１１】
本発明の第２の位置入力装置の実施態様として、次の構成が好ましい。
（１）前記分岐型第１位置検出電極は、複数の前記分岐電極における幅の合計が、複数の前記第１位置検出電極のうちの中央側のものの幅と等しくなるよう構成されている。このようにすれば、分岐型第１位置検出電極と中央側の第１位置検出電極とで当該位置入力装置における占有面積を同等とすることができる。つまり、複数の第１位置検出電極の専有面積を従前と同等に維持しつつも、複数の分岐電極を繋いでなる分岐型第１位置検出電極によって位置検出感度の局所的な低下を抑制することができる。
【００１２】
本発明の第３の位置入力装置は、第１方向に沿って延在するとともに前記第１方向と直交する第２方向に沿って並んで配される複数の第１位置検出電極と、複数の前記第１位置検出電極に対して平面視においてそれぞれ重畳する形で前記第２方向に沿って延在するとともに前記第１方向に沿って並んで配されて前記第１位置検出電極との間で静電容量を形成する複数の第２位置検出電極と、複数の前記第１位置検出電極に対して平面視においてそれぞれ隣り合う形で配されるとともに複数の前記第２位置検出電極に対して平面視において重畳する形で配されていて隣り合う前記第１位置検出電極との間と、重畳する前記第２位置検出電極との間と、でそれぞれ静電容量を形成する複数の第１フローティング電極と、複数の前記第１位置検出電極のうち前記第２方向について最も端に位置するものに対して前記第２方向について端側に隣り合う前記第１フローティング電極に対してさらに前記第２方向について端側に隣り合う形で配されるとともに前記第２位置検出電極とは非重畳となるよう配されていて最も端に位置する前記第１位置検出電極との間で静電容量を形成する第２フローティング電極と、を備える。
【００１３】
このようにすれば、第１位置検出電極とそれに重畳する第２位置検出電極との間に静電容量が形成されるのに加えて、第１フローティング電極とそれに隣り合う第１位置検出電極との間と、第１フローティング電極とそれに重畳する第２位置検出電極との間と、にそれぞれ静電容量が形成されるので、位置検出感度（Ｓ／Ｎ比）がより高いものとなる。ところで、第２方向に沿って並ぶ複数の第１位置検出電極のうち第２方向について最も端に位置するものは、中央側に位置するものに比べると、隣り合う第１フローティング電極との間に形成される静電容量が相対的に小さくなりがちとなってその容量値の差が大きくなる傾向にあるため、位置検出に際して大きなノイズが生じて位置検出感度が局所的に低下することが懸念される。その点、複数の第１位置検出電極のうち第２方向について最も端に位置するものに対して第２方向について端側に隣り合う第１フローティング電極に対してさらに第２方向について端側に隣り合う形で配されるとともに第２位置検出電極とは非重畳となるよう配される第２フローティング電極が、最も端に位置する第１位置検出電極との間で静電容量を形成しているから、最も端に位置する第１位置検出電極の静電容量が大きなものとなり、中央側の第１位置検出電極との間に生じ得る容量値の差が緩和される。これにより、位置検出に際して最も端に位置する第１位置検出電極がノイズの影響を受け難いものとなり、位置検出感度が端側において局所的に低下する事態が生じ難くなる。
【００１４】
本発明の第３の位置入力装置の実施態様として、次の構成が好ましい。
（１）前記第１フローティング電極は、複数の前記第２位置検出電極に対して個々に重畳するよう前記第１方向について分割される複数の分割第１フローティング電極から構成されるのに対し、前記第２フローティング電極は、前記分割第１フローティング電極よりも前記第１方向について長くなるよう延在する形で設けられている。このようにすれば、位置検出に際して、複数の第２位置検出電極の中のある第２位置検出電極と、第１フローティング電極を構成する複数の分割第１フローティング電極の中の上記第２位置検出電極と重畳する分割第１フローティング電極との間に形成される静電容量が、上記第２位置検出電極に対して隣り合う他の第２位置検出電極の電位の影響を受け難いものとなる。これに対し、第２フローティング電極は、第２位置検出電極とは非重畳となる配置とされているから、複数の第２位置検出電極の電位の影響を受け難いものとなっている。従って、第２フローティング電極を、分割第１フローティング電極よりも第１方向について長くなるよう延在する形で設けることができ、それにより隣り合う第１位置検出電極との間に形成される静電容量をより大きなものとすることができる。
【００１５】
（２）前記第２フローティング電極は、前記第１フローティング電極と同一の透明電極膜からなる。このようにすれば、第１フローティング電極及び第２フローティング電極を設けるのに要するコストを削減することができる。
【００１６】
（３）前記第１フローティング電極の形成層と前記第２フローティング電極の形成層とが互いに異なるものとされていてそれらの間に介在する形で配される絶縁層を備えている。このようにすれば、絶縁層により第１フローティング電極と第２フローティング電極とを絶縁させる確実性が高いものとなる。
【００１７】
本発明の第１の位置入力装置、第２の位置入力装置、または第３の位置入力装置の実施態様として、次の構成が好ましい。
【００１８】
（１）複数の前記フローティング電極または複数の前記第１フローティング電極には、前記第２方向について最も端に位置するとともに、その幅が中央側のものよりも狭い幅狭フローティング電極または幅狭第１フローティング電極が含まれている。複数のフローティング電極または複数の第１フローティング電極のうち、中央側のものは、隣り合う第１位置検出電極が２つ存在するため、それら２つの第１位置検出電極との間で静電容量を形成する。一方、複数のフローティング電極または複数の第１フローティング電極のうち、第２方向について最も端に位置するものは、隣り合う第１位置検出電極が１つのみであり、その１つの第１位置検出電極との間で静電容量を形成する。従って、複数のフローティング電極または複数の第１フローティング電極のうち、第２方向について最も端に位置するものを、中央側のものよりも幅が狭い幅狭フローティング電極または幅狭第１フローティング電極とすることで、複数の第１位置検出電極がそれぞれ担当する第２方向についての位置検出範囲が均等化される。このように複数のフローティング電極または複数の第１フローティング電極に、幅狭フローティング電極または幅狭第１フローティング電極を含ませると、第２方向について最も端に位置する第１位置検出電極の静電容量が小さくなることが懸念されるものの、上記のような構成を採ることで、第２方向について最も端に位置する第１位置検出電極の静電容量を大きくすることができ、それにより位置検出に際して第２方向について最も端に位置する第１位置検出電極がノイズの影響を受け難くなり、もって位置検出感度が端側において局所的に低下する事態が生じ難くなっている。
【００１９】
次に、上記課題を解決するために、本発明の位置入力機能付き表示装置は、上記位置入力装置と、前記位置入力装置を備える表示パネルと、を少なくとも備える位置入力機能付き表示装置。
【００２０】
このような位置入力機能付き表示装置によれば、表示パネルと位置入力装置とを備えることにより、使用者の位置入力と、表示パネルの表示と、の連携が円滑なものとなり、使用感の向上を図る上で好適となる。
【００２１】
本発明の位置入力機能付き表示装置の実施態様として、次の構成が好ましい。
（１）前記表示パネルは、画像が表示される表示領域に配される表示素子を少なくとも有するアレイ基板と、前記アレイ基板と対向状をなす形で間隔を空けて配される対向基板と、を備えており、前記位置入力装置は、前記第２位置検出電極が前記対向基板における前記アレイ基板側を向いた板面において前記表示領域に設けられるのに対し、前記第１位置検出電極と前記フローティング電極または前記第１フローティング電極とが前記対向基板における前記アレイ基板側とは反対側を向いた板面において前記表示領域に設けられることで、前記表示パネルに一体化されている。このようにすれば、位置入力装置が表示パネルに一体化されているので、仮に位置入力装置を表示パネルとは別部品とした場合に比べると、当該位置入力機能付き表示装置の薄型化や低コスト化などを図る上で好適となる。
【００２２】
（発明の効果）
本発明によれば、位置検出感度の局所的な低下を抑制することができる。
【図面の簡単な説明】
【００２３】
【図１】本発明の実施形態１に係る液晶表示装置の断面図
【図２】液晶表示装置に備えられる液晶パネルの平面図
【図３】液晶パネルを構成するアレイ基板の平面図
【図４】液晶パネルを構成するＣＦ基板の平面図
【図５】液晶パネルを構成するＣＦ基板の底面図
【図６】アレイ基板の中央側部分を拡大した平面図
【図７】図６のvii-vii線断面図
【図８】図６のviii-viii線断面図
【図９】ＣＦ基板のうち、短辺方向についての両端側部分を拡大した平面図
【図１０】ＣＦ基板のうち、長辺方向についての端子部側とは反対側の端部における短辺方向についての端側部分を拡大した底面図
【図１１】ＣＦ基板のうち、長辺方向についての端子部側の端部における短辺方向についての端側部分を拡大した底面図
【図１２】ＣＦ基板のうち、長辺方向についての端子部側とは反対側の端部における短辺方向についての端側部分をさらに拡大した底面図
【図１３】比較実験１において、検出電極の幅の相対値と、検出電極の容量値との関係を表すグラフ
【図１４】本発明の実施形態２に係るＣＦ基板のうち、短辺方向についての両端側部分を拡大した平面図
【図１５】本発明の実施形態３に係るＣＦ基板のうち、短辺方向についての両端側部分を拡大した平面図
【図１６】比較実験２において、比較例１、実施例１、及び実施例２に係る各検出電極の容量値との関係を表すグラフ
【図１７】比較実験３において、比較例１、実施例１、及び実施例２に係る各検出電極の幅の相対値と、各検出電極の容量値との関係を表すグラフ
【図１８】本発明の実施形態４に係るＣＦ基板のうち、短辺方向についての両端側部分を拡大した平面図
【図１９】ＣＦ基板のうち、短辺方向についての端側部分を短辺方向に沿って切断した断面図
【図２０】比較実験４において、比較例２における検出電極の位置と、検出電極の容量値との関係を表すグラフ
【図２１】比較実験４において、実施例３における検出電極の位置と、検出電極の容量値との関係を表すグラフ
【図２２】本発明の実施形態５に係るＣＦ基板のうち、短辺方向についての端側部分を短辺方向に沿って切断した断面図
【図２３】本発明の実施形態６に係るＣＦ基板のうち、短辺方向についての両端側部分を拡大した平面図
【図２４】本発明の実施形態７に係るＣＦ基板のうち、短辺方向についての両端側部分を拡大した平面図
【図２５】本発明の実施形態８に係るＣＦ基板のうち、短辺方向についての両端側部分を拡大した平面図
【図２６】本発明の実施形態９に係るＣＦ基板のうち、短辺方向についての両端側部分を拡大した平面図
【発明を実施するための形態】
【００２４】
＜実施形態１＞
本発明の実施形態１を図１から図１３によって説明する。本実施形態では、位置入力機能を備えた液晶表示装置（位置入力機能付き表示装置）１０について例示する。なお、各図面の一部にはＸ軸、Ｙ軸及びＺ軸を示しており、各軸方向が各図面で示した方向となるように描かれている。また、上下方向については、図２などを基準とし、且つ同図上側を表側とするとともに同図下側を裏側とする。
【００２５】
液晶表示装置１０は、図１及び図２に示すように、画像を表示するとともにその表示される画像に基づいて使用者が入力する位置情報を検出することが可能な液晶パネル（位置入力機能付き表示パネル）１１と、液晶パネル１１に対して表示に利用する光を供給する外部光源であるバックライト装置（照明装置）１２と、を備える。また、液晶表示装置１０は、バックライト装置１２を収容するシャーシ１３と、シャーシ１３との間でバックライト装置１２を保持するフレーム１４と、フレーム１４との間で液晶パネル１１を保持するベゼル（保持部材）１５と、を備えている。このうち、バックライト装置１２は、光源（例えば冷陰極管、ＬＥＤ、有機ＥＬなど）と、光源から発せられる面状に変換するなどの光学機能を有する光学部材と、を少なくとも備えてなるものとされる。
【００２６】
本実施形態に係る液晶表示装置１０は、携帯電話（スマートフォンなどを含む）、ノートパソコン（タブレット型ノートパソコンなどを含む）、携帯型情報端末（電子ブックやＰＤＡなどを含む）、デジタルフォトフレーム、携帯型ゲーム機などの各種電子機器（図示せず）に用いられるものである。このため、液晶表示装置１０を構成する液晶パネル１１の画面サイズは、数インチ〜１０数インチ程度とされ、一般的には小型または中小型に分類される大きさとされている。
【００２７】
液晶パネル１１について説明する。液晶パネル１１は、図２に示すように、全体として縦長な方形状（矩形状）をなしており、その長辺方向がＹ軸方向と、短辺方向がＸ軸方向と、それぞれ一致している。液晶パネル１１は、画像を表示可能な表示領域（アクティブエリア）ＡＡと、表示領域ＡＡを取り囲む額縁状（枠状）をなすとともに画像を表示不能な非表示領域（ノンアクティブエリア）ＮＡＡと、に区分されている。この液晶パネル１１においては、その長辺方向における一方の端部側（図２に示す上側）に片寄った位置に表示領域ＡＡが配されている。また、非表示領域ＮＡＡは、表示領域ＡＡを取り囲む略枠状の領域（後述するＣＦ基板１１ａにおける額縁部分）と、長辺方向の他方の端部側（図２に示す下側）に確保された領域（後述するアレイ基板１１ｂのうちＣＦ基板１１ａとは重畳せずに露出する部分）と、からなり、このうちの後者は、液晶パネル１１を駆動するドライバ（パネル駆動部）１６と、フレキシブル基板（外部接続部品）１７と、が実装される実装領域となっている。フレキシブル基板１７は、可撓性を有するとともに、液晶パネル１１と外部の信号供給源である制御回路基板１８とを接続し、制御回路基板１８から供給される各種信号をドライバ１６などに伝送することが可能とされる。ドライバ１６は、内部に駆動回路を有するＬＳＩチップからなるものとされ、制御回路基板１８から供給される入力信号を処理して出力信号を生成し、その出力信号を液晶パネル１１の表示領域ＡＡへ向けて出力するものとされる。なお、図２では、ＣＦ基板１１ａよりも一回り小さな枠状の一点鎖線が表示領域ＡＡの外形を表しており、当該一点鎖線よりも外側の領域が非表示領域ＮＡＡとなっている。
【００２８】
液晶パネル１１は、図２及び図７に示すように、一対の基板１１ａ，１１ｂと、両基板１１ａ，１１ｂ間に介在し、電界印加に伴って光学特性が変化する物質である液晶分子を含む液晶層（液晶）１１ｃと、を備え、両基板１１ａ，１１ｂが液晶層１１ｃの厚さ分のギャップを維持した状態で図示しないシール部によって貼り合わせられている。一対の基板１１ａ，１１ｂのうち表側（正面側）がＣＦ基板（対向基板）１１ａとされ、裏側（背面側）がアレイ基板（素子基板、アクティブマトリクス基板）１１ｂとされる。これらＣＦ基板１１ａ及びアレイ基板１１ｂは、ほぼ透明な（高い透光性を有する）ガラス基板ＧＳを備えており、当該ガラス基板ＧＳ上に各種の膜を既知のフォトリソグラフィ法などにより積層形成してなるものとされる。このうち、ＣＦ基板１１ａは、図２に示すように、短辺寸法がアレイ基板１１ｂと概ね同等であるものの、長辺寸法がアレイ基板１１ｂよりも小さなものとされるとともに、アレイ基板１１ｂに対して長辺方向についての一方（図２に示す上側）の端部を揃えた状態で貼り合わせられている。従って、アレイ基板１１ｂのうち長辺方向についての他方（図２に示す下側）の端部は、所定範囲にわたってＣＦ基板１１ａが重なり合うことがなく、表裏両板面が外部に露出した状態とされており、ここに既述したドライバ１６及びフレキシブル基板１７の実装領域が確保されている。両基板１１ａ，１１ｂの内面側、液晶層１１ｃに含まれる液晶分子を配向させるための配向膜（図示せず）がそれぞれ液晶層１１ｃに直接臨む形で形成されている。また、両基板１１ａ，１１ｂの外面側には、それぞれ偏光板（図示せず）が貼り付けられている。
【００２９】
アレイ基板１１ｂ及びＣＦ基板１１ａにおける表示領域ＡＡ内に存在する構成について簡単に説明する。アレイ基板１１ｂの内面側（液晶層１１ｃ側、ＣＦ基板１１ａとの対向面側）における表示領域ＡＡには、図６及び図７に示すように、スイッチング素子であるＴＦＴ（Thin Film Transistor、表示素子）１９及び画素電極２０が多数個ずつマトリクス状に並んで設けられるとともに、これらＴＦＴ１９及び画素電極２０の周りには、格子状をなすゲート配線２１及びソース配線２２が取り囲むようにして配設されている。言い換えると、格子状をなすゲート配線２１及びソース配線２２の交差部に、ＴＦＴ１９及び画素電極２０が行列状に並んで配置されている。ゲート配線２１とソース配線２２とがそれぞれＴＦＴ１９のゲート電極１９ａとソース電極１９ｂとに接続され、画素電極２０がＴＦＴ１９のドレイン電極１９ｃに接続されている。これらＴＦＴ１９、画素電極２０、ゲート配線２１、及びソース配線２２は、画像を表示するための回路である表示用回路の一部を構成している。なお、ＴＦＴ１９の詳しい構成については後に説明する。画素電極２０は、平面に視て縦長の方形状（矩形状）をなしている。そして、アレイ基板１１ｂには、共通電位（基準電位）が供給されることで上記した画素電極２０との間で電界を形成する共通電極２３が設けられている。つまり、本実施形態に係る液晶パネル１１は、動作モードがＩＰＳ（In-Plane Switching）モードをさらに改良したＦＦＳ（Fringe Field Switching）モードとされていて、アレイ基板１１ｂ側に画素電極２０及び共通電極２３を共に形成し、且つこれら画素電極２０と共通電極２３とを異なる層に配してなるものである。画素電極２０には、平面に視てＸ軸方向及びＹ軸方向に対する斜め方向に沿って延在するスリット２０ａが間欠的に並んで形成されている。このスリット２０ａによって画素電極２０と異なる層に配された共通電極２３との間に電位差が生じたとき、アレイ基板１１ｂの板面に沿う成分に加えて、アレイ基板１１ｂの板面に対する法線方向の成分を含むフリンジ電界（斜め電界）が印加されるようになっており、そのフリンジ電界を利用して液晶層１１ｃに含まれる液晶分子の配向状態を適切にスイッチングすることができる。
【００３０】
一方、ＣＦ基板１１ａの内面側（液晶層１１ｃ側、アレイ基板１１ｂとの対向面側）における表示領域ＡＡには、図７に示すように、Ｒ（赤色），Ｇ（緑色），Ｂ（青色）等の各着色部が、アレイ基板１１ｂ側の各画素電極２０と平面に視て重畳するよう多数個マトリクス状に並列して配置されたカラーフィルタ２４が設けられている。カラーフィルタ２４をなす各着色部間には、混色を防ぐための略格子状の遮光部（ブラックマトリクス）２５が形成されている。遮光部２５は、上記したゲート配線２１及びソース配線２２と平面に視て重畳する配置とされる。カラーフィルタ２４及び遮光部２５の表面には、平坦化膜（保護膜、オーバーコート膜）２６が設けられている。なお、当該液晶パネル１１においては、Ｒ（赤色），Ｇ（緑色），Ｂ（青色）の３色の着色部及びそれらと対向する３つの画素電極２０の組によって表示単位である１つの表示画素が構成されている。表示画素は、Ｒ，Ｇ，Ｂの３色の画素部ＰＸからなる。各画素部ＰＸは、画素電極２０と、それと対向状をなす着色部と、の組によって構成される。これら各色の画素部ＰＸは、液晶パネル１１の板面において行方向（Ｘ軸方向）に沿って繰り返し並べて配されることで、画素部群を構成しており、この画素部群が列方向（Ｙ軸方向）に沿って多数並んで配されている。なお、上記した遮光部２５は、互いに隣り合う画素部ＰＸの間を仕切る形で配されている。
【００３１】
次に、アレイ基板１１ｂの内面側に既知のフォトリソグラフィ法などによって積層形成された各種の膜の具体的な積層順などについて詳しく説明する。アレイ基板１１ｂには、液晶パネル１１が有する機能のうちの、画像を表示する機能（表示機能）を発揮するための構造物が主に設けられている。詳しくは、アレイ基板１１ｂには、図７に示すように、下層側（ガラス基板ＧＳ側、裏側）から順に、ベースコート膜２７、半導体膜２８、ゲート絶縁膜（無機絶縁膜）２９、第１金属膜（ゲート金属膜）３０、第１層間絶縁膜（無機絶縁膜）３１、第２金属膜（ソース金属膜）３２、平坦化膜（有機絶縁膜）３３、第１透明電極膜３４、第２層間絶縁膜（無機絶縁膜）３５、第２透明電極膜３６、が積層形成されている。また、図示は省略しているが、第２層間絶縁膜３５及び第２透明電極膜３６の上層側には、既述した配向膜が形成されている。
【００３２】
ベースコート膜２７は、アレイ基板１１ｂをなすガラス基板ＧＳの表面の全体を覆うベタ状のパターンとされており、例えば酸化珪素（ＳｉＯ２）、窒化珪素（ＳｉＮｘ）、窒化酸化珪素（ＳｉＯＮ）などからなる。半導体膜２８は、ベースコート膜２７の上層側に積層されるとともに、表示領域ＡＡと非表示領域ＮＡＡとにそれぞれ配されるようパターニングされている。半導体膜２８は、少なくとも表示領域ＡＡにおいては、後述するＴＦＴ１９の配置に応じて島状にパターニングされている。半導体膜２８は、多結晶化されたシリコン薄膜（多結晶シリコン薄膜）の一種であるＣＧシリコン（Continuous Grain Silicon）薄膜からなるものとされている。ＣＧシリコン薄膜は、例えばアモルファスシリコン薄膜に金属材料を添加し、５５０℃以下程度の低温で短時間の熱処理を行うことで形成されており、それによりシリコン結晶の結晶粒界における原子配列に連続性を有している。ゲート絶縁膜２９は、ベースコート膜２７及び半導体膜２８の上層側に積層されるとともに、表示領域ＡＡと非表示領域ＮＡＡとに跨る形のベタ状のパターンとされており、例えば酸化珪素（ＳｉＯ２）からなるものとされる。
【００３３】
第１金属膜３０は、ゲート絶縁膜２９の上層側に積層されるとともに、表示領域ＡＡと非表示領域ＮＡＡとにそれぞれ配されるようパターニングされており、例えばチタン（Ｔｉ）及び銅（Ｃｕ）の積層膜により形成されている。この第１金属膜３０により、既述したゲート配線２１及びゲート電極１９ａなどが構成されている。第１層間絶縁膜３１は、ゲート絶縁膜２９及び第１金属膜３０の上層側に積層されるとともに、表示領域ＡＡと非表示領域ＮＡＡとに跨る形のベタ状のパターンとされており、例えば酸化珪素（ＳｉＯ２）からなるものとされる。この第１層間絶縁膜３１により、既述したゲート配線２１とソース配線２２との交差部間が絶縁状態に保たれている。第２金属膜３２は、第１層間絶縁膜３１の上層側に積層されるとともに、表示領域ＡＡと非表示領域ＮＡＡとにそれぞれ配されるようパターニングされており、例えばチタン（Ｔｉ）及び銅（Ｃｕ）の積層膜により形成されている。この第２金属膜３２により、既述したソース配線２２、ソース電極１９ｂ、及びドレイン電極１９ｃなどが構成されている。平坦化膜３３は、第１層間絶縁膜３１及び第２金属膜３２の上層側に積層されるとともに、表示領域ＡＡと非表示領域ＮＡＡとに跨る形のベタ状のパターンとされており、例えばポリメタクリル酸メチル樹脂（ＰＭＭＡ）などのアクリル系樹脂材料などからなるものとされる。平坦化膜３３は、その膜厚が、無機絶縁膜である他の絶縁膜２９，３１，３５に比べて相対的に大きなものとされている。従って、平坦化膜３３は、アレイ基板１１ｂにおける液晶層１１ｃ側の面（配向膜が配される面）を好適に平坦化することができる。
【００３４】
第１透明電極膜３４は、平坦化膜３３の上層側に積層されるとともに、少なくとも表示領域ＡＡにおいて概ねベタ状のパターンとして形成されており、例えばＩＴＯ（Indium Tin Oxide）或いはＺｎＯ（Zinc Oxide）といった透明電極材料からなる。この第１透明電極膜３４により、概ねベタ状のパターンである共通電極２３が構成されている。第２層間絶縁膜３５は、平坦化膜３３及び第１透明電極膜３４の上層側に積層されるとともに、表示領域ＡＡと非表示領域ＮＡＡとに跨る形のベタ状のパターンとされており、例えば窒化珪素（ＳｉＮｘ）からなるものとされる。第２透明電極膜３６は、第２層間絶縁膜３５の上層側に積層されるとともに、表示領域ＡＡにおいてＴＦＴ１９の配置に応じて島状にパターニングされており、例えばＩＴＯ（Indium Tin Oxide）或いはＺｎＯ（Zinc Oxide）といった透明電極材料からなる。この第２透明電極膜３６により画素電極２０が構成されている。なお、ゲート絶縁膜２９、第１層間絶縁膜３１、平坦化膜３３、及び第２層間絶縁膜３５には、アレイ基板１１ｂの製造工程においてパターニングされることで、それぞれの所定の位置にコンタクトホールＣＨ１，ＣＨ２などの開口が形成されるようになっている。
【００３５】
アレイ基板１１ｂにおける表示領域ＡＡに配されるＴＦＴ１９は、図７に示すように、半導体膜２８からなるチャネル部１９ｄと、チャネル部１９ｄに対してゲート絶縁膜２９を介して上層側に重畳する形で配されるゲート電極１９ａと、ゲート電極１９ａに対して第１層間絶縁膜３１を介して上層側に配されるソース電極１９ｂ及びドレイン電極１９ｃと、を備えており、いわゆるトップゲート型（スタガ型）とされている。このうち、ソース電極１９ｂ及びドレイン電極１９ｃは、ゲート絶縁膜２９及び第１層間絶縁膜３１にそれぞれ開口形成されたコンタクトホールＣＨ１を通してチャネル部１９ｄに対して接続されており、それによりソース電極１９ｂとドレイン電極１９ｃとの間での電子の移動が可能とされている。チャネル部１９ｄをなす半導体膜２８は、既述した通りＣＧシリコン薄膜からなるものとされる。このＣＧシリコン薄膜は、アモルファスシリコン薄膜などに比べると、電子移動度が例えば２００〜３００ｃｍ２／Ｖｓ程度と高くなっているので、このＣＧシリコン薄膜からなる半導体膜２８をＴＦＴ１９のチャネル部１９ｄとすることで、ＴＦＴ１９を小型化して画素電極２０の透過光量を極大化することができ、もって高精細化及び低消費電力化を図る上で好適とされる。ＴＦＴ１９のドレイン電極１９ｃには、平坦化膜３３及び第２層間絶縁膜３５にそれぞれ開口形成されたコンタクトホールＣＨ２を通して第２透明電極膜３６からなる画素電極２０が接続されている。これにより、ＴＦＴ１９のゲート電極１９ａを通電すると、チャネル部１９ｄを介してソース電極１９ｂとドレイン電極１９ｃとの間に電流が流されるとともに画素電極２０に所定の電位が印加される。なお、第１透明電極膜３４からなる共通電極２３は、第２層間絶縁膜３５を挟み込む形で各画素電極２０と平面に視て重畳する配置とされている。なお、既述した通り、概ねベタ状のパターンとされる共通電極２３のうち、平坦化膜３３及び第２層間絶縁膜３５のコンタクトホールＣＨ２と平面に視て重畳する位置には、画素電極２０のコンタクト部分を通すための開口が形成されている。
【００３６】
次に、アレイ基板１１ｂにおける非表示領域ＮＡＡ内に存在する構成について説明する。アレイ基板１１ｂの非表示領域ＮＡＡのうち、表示領域ＡＡに対してＸ軸方向（液晶パネル１１の短辺方向）について隣り合う位置には、図３に示すように、ＴＦＴ１９などと共に表示用回路を構成するモノリシック回路部（素子駆動部）３７が設けられている。モノリシック回路部３７は、表示領域ＡＡをＸ軸方向について両側から挟み込む形で一対備えられており、Ｙ軸方向に沿って表示領域ＡＡのほぼ全長にわたって延在する範囲にわたって設けられている。モノリシック回路部３７は、表示領域ＡＡから引き出されるゲート配線２１に接続されることで、ドライバ１６からの出力信号をＴＦＴ１９に供給するための制御を行うことが可能とされている。モノリシック回路部３７は、表示領域ＡＡ内のＴＦＴ１９と同じ半導体膜２８をベースとしてアレイ基板１１ｂ上にモノリシックに形成されており、それによりＴＦＴ１９への出力信号の供給を制御するための制御回路及びその回路素子を有している。この制御回路をなす回路素子には、例えば、チャネル部として半導体膜２８を用いた図示しない回路用ＴＦＴ（回路用薄膜トランジスタ）などが含まれている。制御回路には、第１金属膜３０及び第２金属膜３２を用いた図示しない回路用配線部などが含まれている。モノリシック回路部３７は、ドライバ１６からの出力信号に含まれる走査信号を、各ゲート配線２１に所定のタイミングで供給して各ゲート配線２１を順次に走査する走査回路を有している。また、モノリシック回路部３７には、レベルシフタ回路やＥＳＤ保護回路などの付属回路を備えることも可能である。なお、モノリシック回路部３７は、アレイ基板１１ｂ上に形成された図示しない接続配線によってドライバ１６に接続されている。
【００３７】
ところで、本実施形態に係る液晶パネル１１は、既述した通り、画像を表示する表示機能と、表示される画像に基づいて使用者が入力する位置情報を検出する位置入力機能と、を併有しており、このうちの位置入力機能を発揮するためのタッチパネルパターン（位置入力装置）ＴＰＰを内蔵（インセル化）している。タッチパネルパターンＴＰＰは、いわゆる投影型静電容量方式とされており、その検出方式が相互容量方式とされるものである。このタッチパネルパターンＴＰＰは、専らＣＦ基板１１ａに設けられている。詳しくは、タッチパネルパターンＴＰＰは、図４及び図５に示すように、ＣＦ基板１１ａのうち、外面側（液晶層１１ｃ側とは反対側、表側、表示面側）に設けられる検出電極（第１位置検出電極、受信電極）３８と、内面側（液晶層１１ｃ側、裏側、表示面側とは反対側）に設けられる駆動電極（第２位置検出電極、送信電極）３９と、を少なくとも有してなる。このタッチパネルパターンＴＰＰによれば、検出電極３８と駆動電極３９との間に形成される電界を遮る物質（使用者の指など）の有無による静電容量の差によって位置入力（タッチ操作）の有無を検出するようことができるものとされる。タッチパネルパターンＴＰＰを構成する検出電極３８及び駆動電極３９は、ＣＦ基板１１ａの表示領域ＡＡに配されている。従って、液晶パネル１１における表示領域ＡＡは、入力位置を検出可能なタッチ領域とほぼ一致しており、非表示領域ＮＡＡが入力位置を検出不能な非タッチ領域とほぼ一致していることになる。そして、ＣＦ基板１１ａの内面における非タッチ領域（非表示領域ＮＡＡ）である、短辺方向（Ｘ軸方向）についての両端部には、駆動電極３９に接続されて駆動電極３９に信号を伝送するための位置検出配線部４０がそれぞれ設けられている。
【００３８】
また、ＣＦ基板１１ａのうちの非タッチ領域である、長辺方向（Ｙ軸方向）についての一端部（図４及び図５に示す下側の端部）の外面側には、図示しないタッチパネルコントローラと検出電極３８との間で信号を伝送するためのタッチパネル用フレキシブル基板４１が接続されている。タッチパネル用フレキシブル基板４１は、液晶パネル１１に接続された表示用のフレキシブル基板１７と平面に視て概ね重畳する配置とされる。また、ＣＦ基板１１ａの内面における非タッチ領域において、タッチパネル用フレキシブル基板４１と重畳する部分には、位置検出配線部４０のうち駆動電極３９に接続される側とは反対側の端部に接続されるＣＦ基板側コンタクト部（信号供給部、対向基板側信号供給部）４２が一対設けられている。これに対し、アレイ基板１１ｂのうちの内面における非表示領域ＮＡＡにおいて、ＣＦ基板側コンタクト部４２と重畳する部分には、ＣＦ基板側コンタクト部４２に対して導通接続されるアレイ基板側コンタクト部（素子基板側信号供給部）４３が一対設けられている。アレイ基板側コンタクト部４３は、アレイ基板１１ｂの内面に形成された図示しない接続配線を介してドライバ１６に接続されている。従って、図示しないタッチパネルコントローラからの信号は、フレキシブル基板１７、ドライバ１６、アレイ基板側コンタクト部４３、ＣＦ基板側コンタクト部４２、及び位置検出配線部４０を順次に介して駆動電極３９へと伝送されるようになっている。なお、ＣＦ基板側コンタクト部４２及びアレイ基板側コンタクト部４３は、液晶層１１ｃを封止するためのシール部（図示せず）と平面に視て重畳する配置とされるとともに、このシール部に含有させた導電性粒子を介して相互の導通接続が図られるものとされる。
【００３９】
検出電極３８は、図４及び図９に示すように、ＣＦ基板１１ａの外面における表示領域ＡＡにおいて、長辺方向、つまりＹ軸方向（第１方向）に沿って延在する形で設けられており、平面形状が縦長の方形状をなしている。検出電極３８は、画素電極２０や共通電極２３などと同様に、ＩＴＯ（Indium Tin Oxide）或いはＺｎＯ（Zinc Oxide）といった透明電極材料を用いた透明電極膜４４からなるものとされる。このため、検出電極３８は、ＣＦ基板１１ａの表示領域ＡＡに配されているものの、使用者から視認され難いものとされる。検出電極３８は、その長さ寸法が後述するフローティング電極４５の長さ寸法よりも大きくされるのに加えて、表示領域ＡＡの長辺寸法よりもさらに大きなものとされており、その一方の端部（図４に示す下側の端部）が非表示領域ＮＡＡに達するとともにタッチパネル用フレキシブル基板４１に接続されている。検出電極３８は、その線幅が表示画素（画素部ＰＸ）のＸ軸方向についての寸法などに比べると、大きなものとなっており、複数の表示画素（画素部ＰＸ）の間に跨る大きさを有している（図７を参照）。具体的には、検出電極３８の線幅が数ｍｍ程度とされており、表示画素（画素部ＰＸ）のＸ軸方向についての寸法である数百μｍ程度よりも遙かに大きなものとされる。
【００４０】
検出電極３８は、図４及び図９に示すように、ＣＦ基板１１ａの外面における表示領域ＡＡにおいて、短辺方向、つまりＸ軸方向（第２方向、検出電極３８の並び方向）について複数（図４では１２本）が間隔を空けて並んで配されている。Ｘ軸方向について隣り合う検出電極３８の間の間隔は、それぞれ等しいものとされており、複数の検出電極３８は、等ピッチ配列されていると言える。ＣＦ基板１１ａの外面における表示領域ＡＡには、各検出電極３８に対して平面視においてＸ軸方向についてそれぞれ隣り合う形で複数のフローティング電極４５が設けられている。複数のフローティング電極４５には、Ｘ軸方向について互いに隣り合う検出電極３８の間に挟まれる形で配されるものと、Ｘ軸方向について最も端に位置する検出電極３８に対してＸ軸方向について端側に隣り合う形で配されるものと、が含まれている。各フローティング電極４５は、各検出電極３８とは物理的に及び電気的に切り離されていて浮島状となっており、少なくともＸ軸方向について隣り合う検出電極３８との間で静電容量を形成するものとされる。従って、複数のフローティング電極４５のうち、Ｘ軸方向について互いに隣り合う検出電極３８の間に挟まれる形で配されるものは、Ｘ軸方向について左右に隣り合う２つの検出電極３８との間でそれぞれ静電容量を形成するのに対し、Ｘ軸方向について最も端に位置するものは、Ｘ軸方向について最も端に位置する１つの検出電極３８との間で静電容量を形成する。このようなフローティング電極４５が設けられることで、検出電極３８の容量値がより大きなものとなり、位置検出感度（Ｓ／Ｎ比）の向上を図る上で好適とされる。各フローティング電極４５は、後述する駆動電極３９に対しても平面視において重畳する配置とされているので、重畳する駆動電極３９との間で静電容量を形成するものとされる。フローティング電極４５は、検出電極３８と同じ透明電極膜４４からなり、ＣＦ基板１１ａの外面において検出電極３８と同層に配されている。つまり、フローティング電極４５及び検出電極３８を形成するに際しては、ＣＦ基板１１ａの外面上にベタ状の透明電極膜４４を成膜した後に、その透明電極膜４４をパターニングすることで、相互に電気的に独立したフローティング電極４５及び検出電極３８が形成されるようになっている。このフローティング電極４５により、ＣＦ基板１１ａのうちＸ軸方向について隣り合う検出電極３８の間の領域の透過率が、検出電極３８の配置領域の透過率と同等になるものとされ、もって検出電極３８の存在が使用者に視認され難いものとなっている。
【００４１】
検出電極３８に対してＸ軸方向について隣り合うフローティング電極４５は、図９に示すように、後述する複数の駆動電極３９に対して個々に重畳するようＹ軸方向について分割される複数の分割フローティング電極（分割第１フローティング電極）４５Ｓから構成されている。分割フローティング電極４５Ｓは、平面形状が縦長の方形状をなしており、その長辺寸法（Ｙ軸方向についての寸法）が検出電極３８の長辺寸法よりも短く且つ後述する駆動電極３９の幅寸法（Ｙ軸方向についての寸法）と同等とされている。そして、複数の分割フローティング電極４５Ｓは、Ｙ軸方向に沿って並ぶ複数の駆動電極３９に対して平面に視て個々に重畳するよう配置されている。これにより、各分割フローティング電極４５Ｓは、重畳する各駆動電極３９との間でそれぞれ個別に静電容量を形成するものとされており、重畳しない他の駆動電極３９の電位の影響を受け難いものとされる。また、１つのフローティング電極４５を構成する分割フローティング電極４５Ｓの数（フローティング電極４５の分割数）は、Ｙ軸方向に沿って並ぶ駆動電極３９の数と一致している。
【００４２】
駆動電極３９は、図５及び図１０に示すように、ＣＦ基板１１ａの内面における表示領域ＡＡにおいて、検出電極３８の延在方向であるＹ軸方向（第１方向）と直交するＸ軸方向（第２方向）に沿って延在する形で設けられている。駆動電極３９は、その長さ寸法が表示領域ＡＡの短辺寸法と同等とされるのに対し、その線幅が検出電極３８の線幅よりも幅広とされている。駆動電極３９は、ＣＦ基板１１ａの表示領域ＡＡの内面においてその延在方向と直交するＹ軸方向（第１方向、駆動電極３９の並び方向）に沿って複数が並んで配されている。Ｙ軸方向について隣り合う駆動電極３９の間の間隔は、それぞれ等しいものとされており、複数の駆動電極３９は、等ピッチ配列されていると言える。そして、駆動電極３９は、その一部が検出電極３８及びフローティング電極４５と平面に視て交差しており、その交差部位同士がＣＦ基板１１ａのガラス基板ＧＳを挟んで対向状をなすとともにその間においてそれぞれ静電容量を形成することが可能とされる。この駆動電極３９は、検出電極３８及びフローティング電極４５を構成する透明電極膜４４に比べると導電性に優れた金属膜４６からなるものとされており、それにより配線抵抗の低減が図られている。駆動電極３９を構成する金属膜４６は、例えばアルミニウム、モリブデン、チタン、タングステン、銅、銀、金などの金属材料からなるものとされる。なお、駆動電極３９を構成する金属膜４６によりＣＦ基板側コンタクト部４２が構成されている。
【００４３】
駆動電極３９を構成する金属膜４６は、導電性には優れるものの透光性を殆ど有しておらず、そのためＣＦ基板１１ａの表示領域ＡＡに配される駆動電極３９が使用者に視認されることが懸念される。そこで、駆動電極３９は、図８及び図１２に示すように、複数本の分割駆動電極（分割第２位置検出電極、単位駆動電極、分岐駆動電極）３９Ｓから構成されるとともに、それら各分割駆動電極３９ＳがＣＦ基板１１ａの遮光部２５の一部と平面に視て重畳する配置とされている。駆動電極３９を構成する複数本の分割駆動電極３９Ｓは、Ｘ軸方向（第２方向）に沿って延在するとともに、遮光部２５のうちＸ軸方向に沿って延在する部分の上層側（アレイ基板１１ｂ側、液晶層１１ｃ側、ガラス基板ＧＳ側とは反対側）に積層する形で設けられている。このように、使用者から見て駆動電極３９が遮光部２５によって隠される配置とされることで、駆動電極３９にて外光が反射される事態が生じ難くなるとともに駆動電極３９が使用者に視認される事態が生じ難いものとされる。分割駆動電極３９Ｓは、Ｙ軸方向（第１方向）について間隔を空けて複数が並ぶ形で配されており、その間隔がＹ軸方向について隣り合うゲート配線２１の間の間隔（Ｙ軸方向についての画素部ＰＸ間の配列ピッチ、画素電極２０の長さ寸法）とほぼ等しいものとされる。各分割駆動電極３９Ｓは、ゲート配線２１とも平面に視て重畳する配置とされている。しかも、駆動電極３９を構成する分割駆動電極３９Ｓは、その線幅が遮光部２５におけるＸ軸方向に沿って延在する部分の幅寸法よりも小さなものとされているので、例えばＣＦ基板１１ａの製造過程において遮光部２５や駆動電極３９をパターニングする際に相対的な位置ずれが生じた場合であっても、分割駆動電極３９Ｓが遮光部２５と重畳配置される確実性が高いものとなる。また、分割駆動電極３９Ｓは、その線幅が検出電極３８の線幅よりも小さいものとされる。
【００４４】
位置検出配線部４０は、図５及び図１０に示すように、ＣＦ基板１１ａの内面おける非表示領域ＮＡＡにおいて、一方の端部が駆動電極３９の一端部に接続されるのに対し、他方の端部がＣＦ基板側コンタクト部４２に接続される形で配索形成されており、その大部分が駆動電極３９の延在方向と直交するＹ軸方向（第１方向）に沿って延在する形で設けられている。詳しくは、位置検出配線部４０は、駆動電極３９の一端部に接続される第１配線部４０ａと、第１配線部４０ａからＹ軸方向に沿って延在する第２配線部４０ｂと、第２配線部４０ｂからＣＦ基板側コンタクト部４２に至るまで屈曲した平面形状とされる第３配線部４０ｃと、から構成される。位置検出配線部４０は、駆動電極３９からＣＦ基板側コンタクト部４２に近づくに連れて線幅が段階的に狭くなっており、第１配線部４０ａの線幅が駆動電極３９の線幅とほぼ等しいのに対し、第２配線部４０ｂの線幅が第１配線部４０ａの線幅よりも狭いものとされ、さらには第３配線部４０ｃの線幅が第２配線部４０ｂの線幅よりも狭いものとされる。位置検出配線部４０は、その延面距離が接続対象となる駆動電極３９からＣＦ基板側コンタクト部４２に至るまでとなっている。従って、ＣＦ基板側コンタクト部４２に相対的に近い駆動電極３９に接続される位置検出配線部４０は、その延面距離が相対的に短いのに対し、ＣＦ基板側コンタクト部４２から相対的に遠い駆動電極３９に接続される位置検出配線部４０は、その延面距離が相対的に長いものとされる。
【００４５】
位置検出配線部４０は、駆動電極３９と同じ金属膜４６からなり、ＣＦ基板１１ａの内面において駆動電極３９と同層に配されている。このように位置検出配線部４０は、金属膜４６からなるものとされているので、その配線抵抗が十分に低いものとされており、それにより駆動電極３９に伝送する信号に鈍りなどが生じ難いものとされている。位置検出配線部４０は、金属膜４６からなるため、透光性を殆ど有していないものの、ＣＦ基板１１ａにおける非表示領域ＮＡＡに配されているので、表示品位に悪影響を及ぼし難いものとなっている。
【００４６】
位置検出配線部４０は、図５及び図１０に示すように、駆動電極３９をその延在方向についての両側から挟み込む形で複数ずつ配されている。つまり、位置検出配線部４０は、非表示領域ＮＡＡ（非タッチ領域）のうち、表示領域ＡＡ（タッチ領域）をＸ軸方向について挟んだ左右両側に複数ずつ分けて配されている。そして、これらの位置検出配線部４０は、アレイ基板１１ｂの非表示領域ＮＡＡに設けられた各モノリシック回路部３７と平面に視て重畳する形でそれぞれ配されている。これにより、各モノリシック回路部３７からノイズが生じた場合でも、そのノイズを複数ずつの位置検出配線部４０によって遮蔽することができ、もってタッチパネルパターンＴＰＰの位置検出性能が劣化し難いものとなる。位置検出配線部４０のうち、一方（例えば図５に示す右側）のモノリシック回路部３７と重畳する一方の位置検出配線部４０は、駆動電極３９の延在方向についての一方の端部に接続されるのに対し、他方（例えば図５に示す左側）のモノリシック回路部３７と重畳する他方の位置検出配線部４０は、駆動電極３９の延在方向についての他方の端部に接続される。Ｙ軸方向に沿って並ぶ複数の駆動電極３９は、一方の端部が一方の位置検出配線部４０に接続されるものと、他方の端部が他方の位置検出配線部４０に接続されるものと、がＹ軸方向について交互に並ぶ配列とされている。より詳しくは、Ｙ軸方向についてＣＦ基板側コンタクト部４２側から数えて奇数番目の駆動電極３９は、他方の位置検出配線部４０に接続されるのに対し、偶数番目の駆動電極３９は、一方の位置検出配線部４０に接続されている。
【００４７】
ＣＦ基板１１ａの内面における非表示領域ＮＡＡには、図５及び図１０に示すように、各駆動電極３９における位置検出配線部４０に接続された側とは反対側の端部に対してＸ軸方向について隣り合う形でダミー配線部４７が設けられている。ダミー配線部４７は、Ｙ軸方向についての寸法が駆動電極３９の線幅（Ｙ軸方向についての寸法）とほぼ等しいものとされており、Ｘ軸方向に沿って並ぶ複数の駆動電極３９毎に個別に配置されている。詳しくは、ダミー配線部４７には、一方の位置検出配線部４０に接続された駆動電極３９における他方の端部に対して隣り合う形で配されるものと、他方の位置検出配線部４０に接続された駆動電極３９における一方の端部に対して隣り合う形で配されるものと、が含まれている。ダミー配線部４７は、Ｘ軸方向について隣り合う駆動電極３９と、Ｙ軸方向についてＣＦ基板側コンタクト部４２から遠い側に隣り合う位置検出配線部４０を構成する第２配線部４０ｂと、の間に挟み込まれる形で配されている。ダミー配線部４７は、Ｘ軸方向についての寸法が、当該ダミー配線部４７を挟み込む駆動電極３９と第２配線部４０ｂとの間の間隔よりも小さいものとされる。従って、Ｙ軸方向についてＣＦ基板側コンタクト部４２に近いダミー配線部４７と、ＣＦ基板側コンタクト部４２から遠いダミー配線部４７と、を比較すると、前者が後者よりもＸ軸方向についての寸法が小さなものとされる。このダミー配線部４７は、駆動電極３９及び位置検出配線部４０と同じ金属膜４６からなり、ＣＦ基板１１ａの内面において駆動電極３９及び位置検出配線部４０と同層に配されている。なお、ダミー配線部４７と、隣り合う第２配線部４０ｂと、の間の間隔は、例えば３μｍ〜１００μｍの範囲に含まれるようにするのが好ましい。
【００４８】
そして、ダミー配線部４７は、アレイ基板１１ｂの非表示領域ＮＡＡに設けられたモノリシック回路部３７と平面に視て重畳する形で配されている。詳しくは、他方の位置検出配線部４０に接続された駆動電極３９における一方の端部に対して隣り合う形で配されるダミー配線部４７は、一方のモノリシック回路部３７と平面に視て重畳するのに対し、一方の位置検出配線部４０に接続された駆動電極３９における他方の端部に対して隣り合う形で配される他方のダミー配線部４７は、他方のモノリシック回路部３７と平面に視て重畳している。これらのダミー配線部４７（ＣＦ基板側コンタクト部４２から最も遠いものを除く）は、駆動電極３９のうち位置検出配線部４０に接続された側とは反対側の端部と、それに対してＸ軸方向について隣り合う位置検出配線部４０の第２配線部４０ｂと、の間に空けられた隙間を埋める形で配されている。その上で、ダミー配線部４７は、Ｘ軸方向について隣り合う駆動電極３９の端部、言い換えると駆動電極３９のうちの位置検出配線部４０に接続される側とは反対側の端部に接続されている。これにより、モノリシック回路部３７からノイズが生じた場合でも、そのノイズを位置検出配線部４０及びダミー配線部４７が協働して高い効率でもって遮蔽することができる。しかも、製造過程において、ＣＦ基板１１ａの内面に、駆動電極３９、位置検出配線部４０、ＣＦ基板側コンタクト部４２、及びダミー配線部４７を構成する金属膜４６を成膜して同金属膜４６をパターニングした状態において、ＣＦ基板側コンタクト部４２とダミー配線部４７とに導通検査装置を構成する導通検査パッドを宛がって通電を試みることで、駆動電極３９及び位置検出配線部４０に断線などの不良が生じているか否かを検出することができる。つまり、ダミー配線部４７を駆動電極３９及び位置検出配線部４０の通電検査に用いることが可能とされる。なお、このダミー配線部４７は、位置入力機能に関しては特に機能を発揮することはないものとされる。
【００４９】
位置検出配線部４０は、図１０及び図１１に示すように、第２配線部４０ｂの線幅が、接続対象となる駆動電極３９によって異なるものとされる。詳しくは、位置検出配線部４０は、第１配線部４０ａ及び第３配線部４０ｃの線幅が接続対象となる駆動電極３９に拘わらずほぼ一定とされるのに対し、第２配線部４０ｂの線幅については、ＣＦ基板側コンタクト部４２に近い駆動電極３９に接続されるものほど狭く、ＣＦ基板側コンタクト部４２から遠い駆動電極３９に接続されるものほど広くなるよう構成されている。ここで、ＣＦ基板側コンタクト部４２から遠い駆動電極３９に接続される位置検出配線部４０は、ＣＦ基板側コンタクト部４２に近い駆動電極３９に接続される位置検出配線部４０に比べると、相対的に延面距離が相対的に長いため、配線抵抗が高くなりがちとされるものの、上記のように第２配線部４０ｂの線幅を相対的に広くすることで、配線抵抗を低く抑えることができる。これにより、ＣＦ基板側コンタクト部４２から遠い駆動電極３９に接続される位置検出配線部４０と、ＣＦ基板側コンタクト部４２に近い駆動電極３９に接続される位置検出配線部４０と、の間に生じ得る配線抵抗の差を緩和することができ、それにより位置検出性能が劣化し難いものとなる。なお、位置検出配線部４０の第１配線部４０ａのＹ軸方向についての寸法（線幅）は、ほぼ一定とされるものの、第１配線部４０ａのＸ軸方向についての寸法は、ＣＦ基板側コンタクト部４２に近い駆動電極３９に接続されるものほど小さくなっている。
【００５０】
次に、ＣＦ基板１１ａの内面側（液晶層１１ｃ側、アレイ基板１１ｂとの対向面側）に既知のフォトリソグラフィ法などによって積層形成された各種の膜について説明する。ＣＦ基板１１ａには、図７及び図８に示すように、下層（ガラス基板ＧＳ、表側）側から順に、遮光部２５及びカラーフィルタ２４、金属膜４６、平坦化膜２６が積層形成されている。また、図示は省略しているが、平坦化膜２６の上層側には、既述した配向膜が積層されている。また、本実施形態においては、図示は省略しているが、平坦化膜２６の上層側には、アレイ基板１１ｂ側に向けて液晶層１１ｃを貫く形で突出する柱状をなすフォトスペーサ部が設けられており、主に表示領域ＡＡにおいてセルギャップを一定に維持することが可能とされる。
【００５１】
遮光部２５は、図７及び図８に示すように、ＣＦ基板１１ａをなすガラス基板ＧＳの表面において表示領域ＡＡと非表示領域ＮＡＡとに跨る形で配されており、例えば感光性樹脂材料に遮光材料（例えばカーボンブラック）を含有させてなることで高い遮光性を有している。遮光部２５は、表示領域ＡＡに配される部分が平面に視て格子状にパターニングされているのに対し、非表示領域ＮＡＡに配される部分が平面に視て額縁状（枠状）にパターニングされている。遮光部２５のうち、表示領域ＡＡに配される部分は、Ｙ軸方向に沿って延在する部分と、Ｘ軸方向に沿って延在する部分と、を相互に繋いでなり、これらの部分により画素部ＰＸが画定されている。詳しくは、表示領域ＡＡにおいて遮光部２５のうちＹ軸方向に沿って延在する部分は、図１２に示すように、Ｘ軸方向について画素部ＰＸの短辺寸法分の間隔（Ｘ軸方向についての配列ピッチ）を空けて多数本が間欠的に並んで配されているのに対し、Ｘ軸方向に沿って延在する部分は、Ｙ軸方向について画素部ＰＸの長辺寸法分の間隔（Ｙ軸方向についての配列ピッチ）を空けて多数本が間欠的に並んで配されている。カラーフィルタ２４は、図７及び図８に示すように、表示領域ＡＡに配されるとともに、後述するアレイ基板１１ｂ側の画素電極２０の配置に応じて島状にパターニングされており、例えば感光性樹脂材料に着色のための顔料を含有させてなる。詳しくは、カラーフィルタ２４は、ＣＦ基板１１ａの表示領域ＡＡにおいて、アレイ基板１１ｂ側の各画素電極２０と平面に視て重畳する位置に行列状（マトリクス状）に平面配置される多数の着色部から構成されている。各着色部は、平面に視て縦長の方形状をなしている（図示せず）。カラーフィルタ２４は、赤色、緑色、青色をそれぞれ呈する各着色部が行方向（Ｘ軸方向）に沿って交互に繰り返し並ぶことで着色部群を構成し、その着色部群が列方向（Ｙ軸方向）に沿って多数並ぶ配置とされる。また、表示領域ＡＡにおいて隣り合う着色部の間は、遮光部２５における格子状の部分によって仕切られることで、画素部ＰＸ間の混色が防がれている。金属膜４６は、遮光部２５の上層側に積層されており、表示領域ＡＡにおいては遮光部２５の格子状をなす部分のうちのＸ軸方向に沿って延在する部分と重畳するよう横縞状のパターンとされることで、駆動電極３９を構成している（図１４）。金属膜４６のうち、非表示領域ＮＡＡに配される部分は、位置検出配線部４０、ＣＦ基板側コンタクト部４２、及びダミー配線部４７をそれぞれ構成している。平坦化膜２６は、遮光部２５、カラーフィルタ２４、及び金属膜４６の上層側に積層されるとともに、表示領域ＡＡと非表示領域ＮＡＡとに跨る形でベタ状のパターンとされており、例えばポリメタクリル酸メチル樹脂（ＰＭＭＡ）などのアクリル系樹脂材料などからなるものとされる。平坦化膜２６は、その膜厚がカラーフィルタ２４、遮光部２５、及び金属膜４６よりも大きくされることで、ＣＦ基板１１ａにおける液晶層１１ｃ側の面（配向膜が配される面）を好適に平坦化している。平坦化膜２６は、金属膜４６からなる駆動電極３９、位置検出配線部４０、ダミー配線部４７をアレイ基板１１ｂ側から覆う形で配されていることになる。
【００５２】
ところで、Ｘ軸方向に沿って並ぶ複数のフローティング電極４５のうち、Ｘ軸方向について最も端に位置するものは、図９に示すように、中央側に位置するものに比べると、幅寸法（Ｘ軸方向についての寸法）が相対的に小さくなっており、これを以下では特に幅狭フローティング電極４８と呼ぶものとする。幅狭フローティング電極４８の幅寸法は、中央側のフローティング電極４５の幅寸法の約半分程度とされる。複数のフローティング電極４５にこのような幅狭フローティング電極４８が含まれる理由について説明する。Ｘ軸方向について中央側に配されるフローティング電極４５は、隣り合う検出電極３８が２つ存在するため、それら２つの検出電極３８との間で静電容量を形成するのに対し、最も端に位置する幅狭フローティング電極４８は、隣り合う検出電極３８が１つのみであり、その１つの検出電極３８との間で静電容量を形成する。従って、複数のフローティング電極４５のうち、Ｘ軸方向について最も端に位置するものを、中央側のものよりも幅が狭い幅狭フローティング電極４８とすることで、複数の検出電極３８がそれぞれ担当するＸ軸方向についての位置検出範囲が均等化されることになる。
【００５３】
ところが、このように複数のフローティング電極４５に、幅狭フローティング電極４８を含ませると、Ｘ軸方向について最も端に位置する検出電極３８がＸ軸方向について端側に隣り合う幅狭フローティング電極４８と中央側に隣り合うフローティング電極４５との間に形成する静電容量が、中央側に位置する検出電極３８が隣り合う２つのフローティング電極４５との間に形成する静電容量よりも相対的に小さくなりがちとされる。つまり、Ｘ軸方向について最も端に位置する検出電極３８の容量値と、それに対して中央側に隣り合う検出電極３８の容量値と、の間に生じる差は、Ｘ軸方向について中央側に配されて互いに隣り合う２つの検出電極３８の容量値の差よりも大きなものとなる。このため、タッチ位置検出に際して、ノイズ耐性を高めるべく、Ｘ軸方向について隣り合う検出電極３８の容量値の差分をとる検出方式を採用した場合には、上記した容量値の差が大きくなることに起因して大きなノイズが生じてしまい、位置検出感度がＸ軸方向についての端側でのみ局所的に低下することが懸念される。なお、Ｘ軸方向について隣り合う検出電極３８の容量値の差分をとる検出方式に関しては、例えば特開２０１３−３６０３号公報に開示されており、その開示内容の全てを本明細書に援用するものとする。
【００５４】
そこで、複数の検出電極３８のうち、Ｘ軸方向について最も端に位置するものは、図９に示すように、中央側に位置するものよりも幅寸法（Ｘ軸方向についての寸法）が大きな幅広検出電極（幅広第１位置検出電極）４９とされている。このようにすれば、複数の検出電極３８のうち、Ｘ軸方向について最も端に位置する幅広検出電極４９が、Ｘ軸方向について端側に隣り合う幅狭フローティング電極４８と中央側に隣り合うフローティング電極４５との間に形成する静電容量は、仮に複数の検出電極３８のうち、Ｘ軸方向について最も端に位置するものを、中央側のものと同一幅とした場合に比べると、大きなものとなる。従って、Ｘ軸方向について最も端に位置する幅広検出電極４９の容量値を、中央側に位置する検出電極３８の容量値により近い値とすることができ、それにより容量値の差を緩和することができる。これにより、タッチ位置検出に際して、ノイズ耐性を高めるべく、Ｘ軸方向について隣り合う検出電極３８の容量値の差分をとる検出方式を採用した場合であっても、幅広検出電極４９がノイズの影響を受け難いものとなり、位置検出感度が端側において局所的に低下する事態が生じ難いものとなる。なお、複数の検出電極３８のうち、幅広検出電極４９を除いた中央側の検出電極３８の幅寸法を、例えば１５μｍ程度とした場合、幅広検出電極４９の幅寸法を、例えば３０μｍ程度、つまり２倍程度とするのが好ましい。
【００５５】
続いて、検出電極３８の幅を変化させたときにその容量値がどのように変化するかについて知見を得るべく、以下の比較実験１を行った。比較実験１では、検出電極３８の幅を、所定の基準値（相対値１．０）とした場合と、基準値の２倍（相対値２．０）とした場合と、基準値の３倍（相対値３．０）とした場合と、で、それぞれ容量値を測定し、その結果を図１３に示す。図１３において、横軸は検出電極３８の幅に関して基準値を１．０としたときの相対値を、縦軸は容量値（単位は「ｐＦ（ピコファラッド）」）を、それぞれ表している。
【００５６】
比較実験１の実験結果について説明する。図１３によれば、検出電極３８の幅を広げるほど、検出電極３８の容量値が大きくなることが分かる。これは、検出電極３８の容量値は、検出電極３８の面積に比例する傾向にあることを示しており、検出電極３８の面積が大きくなるほど、隣り合うフローティング電極４５などとの間に形成される静電容量が大きくなること因るものと考えられる。この比較実験１の実験結果から、複数の検出電極３８のうち、Ｘ軸方向について最も端に位置するものを、中央側のものよりも幅広な幅広検出電極４９とし、その幅を最適化することで、容量値が局所的に低下することが懸念される幅広検出電極４９の容量値を、中央側の検出電極３８の容量値に近づけ、より好ましくは同等にすることが可能とされ、それにより幅広検出電極４９の容量値と中央側の検出電極３８の容量値との間に生じ得る差を緩和し、もってＸ軸方向についての端側において位置検出感度が局所的に低下するのを抑制して位置検出感度の平準化を図ることができるのである。
【００５７】
以上説明したように本実施形態のタッチパネルパターン（位置入力装置）ＴＰＰは、第１方向（Ｙ軸方向）に沿って延在するとともに第１方向と直交する第２方向（Ｘ軸方向）に沿って並んで配される複数の検出電極（第１位置検出電極）３８と、複数の検出電極３８に対して平面視においてそれぞれ重畳する形で第２方向に沿って延在するとともに第１方向に沿って並んで配されて検出電極３８との間で静電容量を形成する複数の駆動電極（第２位置検出電極）３９と、複数の検出電極３８に対して平面視においてそれぞれ隣り合う形で配されるとともに複数の駆動電極３９に対して平面視において重畳する形で配されていて隣り合う検出電極３８との間と、重畳する駆動電極３９との間と、でそれぞれ静電容量を形成する複数のフローティング電極４５と、複数の検出電極３８に含まれて第２方向について最も端に位置するとともにその幅が中央側のものよりも広い幅広検出電極（幅広第１位置検出電極）４９と、を備える。
【００５８】
このようにすれば、検出電極３８とそれに重畳する駆動電極３９との間に静電容量が形成されるのに加えて、フローティング電極４５とそれに隣り合う検出電極３８との間と、フローティング電極４５とそれに重畳する駆動電極３９との間と、にそれぞれ静電容量が形成されるので、位置検出感度（Ｓ／Ｎ比）がより高いものとなる。ところで、第２方向に沿って並ぶ複数の検出電極３８のうち第２方向について最も端に位置するものは、中央側に位置するものに比べると、隣り合うフローティング電極４５との間に形成される静電容量が相対的に小さくなりがちとなってその容量値の差が大きくなる傾向にあるため、位置検出に際して大きなノイズが生じて位置検出感度が局所的に低下することが懸念される。その点、複数の検出電極３８に含まれて第２方向について最も端に位置するものが、中央側のものよりも幅広な幅広検出電極４９とされているので、隣り合うフローティング電極４５との間に形成される静電容量が大きくなって、中央側の検出電極３８との間に生じ得る容量値の差が緩和される。これにより、位置検出に際して幅広検出電極４９がノイズの影響を受け難いものとなり、位置検出感度が端側において局所的に低下する事態が生じ難くなる。
【００５９】
また、複数のフローティング電極４５には、第２方向について最も端に位置するとともに、その幅が中央側のものよりも狭い幅狭フローティング電極４８が含まれている。複数のフローティング電極４５のうち、中央側のものは、隣り合う検出電極３８が２つ存在するため、それら２つの検出電極３８との間で静電容量を形成する。一方、複数のフローティング電極４５のうち、第２方向について最も端に位置するものは、隣り合う検出電極３８が１つのみであり、その１つの検出電極３８との間で静電容量を形成する。従って、複数のフローティング電極４５のうち、第２方向について最も端に位置するものを、中央側のものよりも幅が狭い幅狭フローティング電極４８とすることで、複数の検出電極３８がそれぞれ担当する第２方向についての位置検出範囲が均等化される。このように複数のフローティング電極４５に、幅狭フローティング電極４８を含ませると、第２方向について最も端に位置する検出電極３８の静電容量が小さくなることが懸念されるものの、上記のような構成を採ることで、第２方向について最も端に位置する検出電極３８の静電容量を大きくすることができ、それにより位置検出に際して第２方向について最も端に位置する検出電極３８がノイズの影響を受け難くなり、もって位置検出感度が端側において局所的に低下する事態が生じ難くなっている。
【００６０】
また、本実施形態に係る液晶表示装置（位置入力機能付き表示装置）１０は、上記タッチパネルパターンＴＰＰと、タッチパネルパターンＴＰＰを備える液晶パネル（表示パネル）１１と、を少なくとも備える。
【００６１】
このような位置入力機能付き表示装置によれば、液晶パネル１１とタッチパネルパターンＴＰＰとを備えることにより、使用者の位置入力と、液晶パネル１１の表示と、の連携が円滑なものとなり、使用感の向上を図る上で好適となる。
【００６２】
また、液晶パネル１１は、画像が表示される表示領域ＡＡに配されるＴＦＴ（表示素子）１９を少なくとも有するアレイ基板１１ｂと、アレイ基板１１ｂと対向状をなす形で間隔を空けて配されるＣＦ基板（対向基板）１１ａと、を備えており、タッチパネルパターンＴＰＰは、駆動電極３９がＣＦ基板１１ａにおけるアレイ基板１１ｂ側を向いた板面において表示領域ＡＡに設けられるのに対し、検出電極３８とフローティング電極４５またはフローティング電極３４５とがＣＦ基板１１ａにおけるアレイ基板１１ｂ側とは反対側を向いた板面において表示領域ＡＡに設けられることで、液晶パネル１１に一体化されている。このようにすれば、タッチパネルパターンＴＰＰが液晶パネル１１に一体化されているので、仮にタッチパネルパターンを液晶パネル１１とは別部品のタッチパネルに設けるようにした場合に比べると、当該液晶表示装置１０の薄型化や低コスト化などを図る上で好適となる。
【００６３】
＜実施形態２＞
本発明の実施形態２を図１４によって説明する。この実施形態２では、複数の検出電極１３８のうち、Ｘ軸方向について最も端に位置するものの構成を変更したものを示す。なお、上記した実施形態１と同様の構造、作用及び効果について重複する説明は省略する。
【００６４】
本実施形態に係る複数の検出電極１３８のうち、Ｘ軸方向（第２方向）についても最も端に位置するものは、図１４に示すように、複数の分岐電極５１を相互に繋いでなる分岐型検出電極（分岐型第１位置検出電極）５０とされている。さらには、複数の分岐電極５１の間には、複数の分岐電極５１との間で静電容量を形成する分岐電極間フローティング電極５２が挟み込まれる形で設けられている。分岐電極５１は、Ｙ軸方向（第１方向）に沿って延在するとともに、Ｘ軸方向に沿って２本が間隔を空けて並んで配されている。分岐電極５１は、その幅が中央側の検出電極１３８の幅よりも狭いものとされており、具体的には中央側の検出電極１３８の幅の約半分程度とされている。従って、分岐型検出電極５０を構成する２本の分岐電極５１の幅の合計は、中央側の検出電極１３８の幅とほぼ等しいものとされている。言い換えると、分岐型検出電極５０を構成する２本の分岐電極５１の面積の合計は、中央側の検出電極１３８の面積とほぼ等しいものとされている。また、２本の分岐電極５１は、その延在方向の両端部がそれぞれ架橋部（繋ぎ部、連結部）５３によって架橋されることで、相互に繋げられている。分岐電極間フローティング電極５２は、Ｘ軸方向について隣り合う２本の分岐電極５１の間に挟まれる形で配されており、その幅が上記した２本の分岐電極５１の間の間隔よりもやや狭いものとされる。分岐電極間フローティング電極５２の幅は、複数のフローティング電極１４５のうち、中央側のフローティング電極１４５の幅より狭くされるものの、最も端の幅狭フローティング電極１４８の幅と同等とされている。分岐電極間フローティング電極５２は、隣り合う２本の分岐電極５１との間でそれぞれ静電容量を形成するものとされる。なお、分岐電極間フローティング電極５２は、他のフローティング電極１４５（幅狭フローティング電極１４８を含む）と同様に、Ｙ軸方向について複数に分割されている。
【００６５】
このように、分岐型検出電極５０を構成する２本の分岐電極５１は、その幅が中央側の検出電極１３８の幅より狭いものの、分岐電極間フローティング電極５２との間でそれぞれ静電容量を形成しているから、各分岐電極５１と分岐電極間フローティング電極５２との間を行き交う電気力線の密度が、中央側の検出電極１３８と中央側のフローティング電極１４５との間を行き交う電気力線の密度よりも高いものとなっている。従って、分岐型検出電極５０の静電容量が大きなものとなり、中央側の検出電極１３８との間に生じ得る容量値の差が緩和される。これにより、位置検出に際して分岐型検出電極５０がノイズの影響を受け難いものとなり、位置検出感度が端側において局所的に低下する事態が生じ難くなる。しかも、分岐型検出電極５０を構成する２本の分岐電極５１の幅の合計が、中央側の検出電極１３８の幅とほぼ等しいものとされているから、分岐型検出電極５０と中央側の検出電極１３８とでＣＦ基板１１１ａ（タッチパネルパターンＴＰＰ）の面内における専有面積が同等になる。つまり、複数の検出電極１３８の専有面積を従前と同等に維持しつつも、２本の分岐電極５１を繋いでなる分岐型検出電極５０によって位置検出感度の局所的な低下を抑制することができる。
【００６６】
以上説明したように本実施形態によれば、第１方向（Ｙ軸方向）に沿って延在するとともに第１方向と直交する第２方向（Ｘ軸方向）に沿って並んで配される複数の検出電極１３８と、複数の検出電極１３８に対して平面視においてそれぞれ重畳する形で第２方向に沿って延在するとともに第１方向に沿って並んで配されて検出電極１３８との間で静電容量を形成する複数の駆動電極１３９と、複数の検出電極１３８に対して平面視においてそれぞれ隣り合う形で配されるとともに複数の駆動電極１３９に対して平面視において重畳する形で配されていて隣り合う検出電極１３８との間と、重畳する駆動電極１３９との間と、でそれぞれ静電容量を形成する複数のフローティング電極１４５と、複数の検出電極１３８に含まれて第２方向について最も端に位置する分岐型検出電極（分岐型第１位置検出電極）５０であって、第１方向に沿って延在するとともに第２方向に沿って並んで配される複数の分岐電極５１を相互に繋いでなる分岐型検出電極５０と、複数の分岐電極５１の間に挟まれる形で配されて複数の分岐電極５１との間で静電容量を形成する分岐電極間フローティング電極５２と、を備える。
【００６７】
このようにすれば、検出電極１３８とそれに重畳する駆動電極１３９との間に静電容量が形成されるのに加えて、フローティング電極１４５とそれに隣り合う検出電極１３８との間と、フローティング電極１４５とそれに重畳する駆動電極１３９との間と、にそれぞれ静電容量が形成されるので、位置検出感度（Ｓ／Ｎ比）がより高いものとなる。ところで、第２方向に沿って並ぶ複数の検出電極１３８のうち第２方向について最も端に位置するものは、中央側に位置するものに比べると、隣り合うフローティング電極１４５との間に形成される静電容量が相対的に小さくなりがちとなってその容量値の差が大きくなる傾向にあるため、位置検出に際して大きなノイズが生じて位置検出感度が局所的に低下することが懸念される。その点、複数の検出電極１３８に含まれて第２方向について最も端に位置するものが、第１方向に沿って延在するとともに第２方向に沿って並んで配される複数の分岐電極５１を相互に繋いでなる分岐型検出電極５０とされており、複数の分岐電極５１は、その間に挟まれる分岐電極間フローティング電極５２との間で静電容量を形成するものとされているから、分岐型検出電極５０の静電容量が大きなものとなり、中央側の検出電極１３８との間に生じ得る容量値の差が緩和される。これにより、位置検出に際して分岐型検出電極５０がノイズの影響を受け難いものとなり、位置検出感度が端側において局所的に低下する事態が生じ難くなる。
【００６８】
また、分岐型検出電極５０は、複数の分岐電極５１における幅の合計が、複数の検出電極１３８のうちの中央側のものの幅と等しくなるよう構成されている。このようにすれば、分岐型検出電極５０と中央側の検出電極１３８とで当該タッチパネルパターンＴＰＰにおける占有面積を同等とすることができる。つまり、複数の検出電極１３８の専有面積を従前と同等に維持しつつも、複数の分岐電極５１を繋いでなる分岐型検出電極５０によって位置検出感度の局所的な低下を抑制することができる。
【００６９】
＜実施形態３＞
本発明の実施形態３を図１５から図１７によって説明する。この実施形態３では、上記した実施形態２から分岐型検出電極２５０の分岐数及び分岐電極間フローティング電極２５２の設置数を変更したものを示す。なお、上記した実施形態２と同様の構造、作用及び効果について重複する説明は省略する。
【００７０】
本実施形態に係る分岐型検出電極２５０は、図１５に示すように、Ｘ軸方向について間隔を空けて並んで配される３本の分岐電極２５１を相互に繋いでなるものとされる。分岐電極２５１は、その幅が中央側の検出電極２３８の幅よりも狭いものとされており、具体的には中央側の検出電極２３８の幅の約１／３程度とされている。従って、分岐型検出電極２５０を構成する２本の分岐電極２５１の幅の合計は、中央側の検出電極２３８の幅とほぼ等しいものとされている。また、３本の分岐電極２５１は、その延在方向の両端部がそれぞれ架橋部２５３によって架橋されることで、相互に繋げられている。分岐電極間フローティング電極２５２は、Ｘ軸方向についての中央側の分岐電極２５１と両端側の各分岐電極２５１との間に挟まれる形で２つが配されており、その幅が隣り合う２本の分岐電極２５１の間の間隔よりもやや狭いものとされる。分岐電極間フローティング電極２５２の幅は、最も端の幅狭フローティング電極２４８の幅よりもさらに狭いものとされている。各分岐電極間フローティング電極２５２は、自身を挟んで隣り合う２本の分岐電極２５１との間でそれぞれ静電容量を形成するものとされる。
【００７１】
続いて、検出電極を分岐構造とした場合としない場合とで、その容量値がどのように変化するかについて知見を得るとともに、分岐構造とした場合の分岐数に応じて容量値がどのように変化するかについて知見を得るべく、以下の比較実験２を行った。比較実験２では、検出電極２３８を分岐構造としない場合を比較例１とし、検出電極を分岐構造としてその分岐数を２とした場合を実施例１とし、検出電極２３８を分岐構造としてその分岐数を３とした場合を実施例２とした上で、それぞれの容量値を測定し、その結果を図１６に示す。比較例１は、本実施形態において本段落以前に記載した中央側の検出電極２３８と同様の構成であり、実施例１は、上記した実施形態２に記載した分岐型検出電極（図１４を参照）と同様の構成であり、実施例２は、本実施形態において本段落以前に記載した分岐型検出電極２５０と同様の構成である。なお、実施例１，２においては、それぞれの分岐型検出電極を構成する各分岐電極の間に分岐電極間フローティング電極が挟まれる形で配される。図１６において、横軸は検出電極２３８の幅に関して基準値を１．０としたときの相対値を、縦軸は容量値（単位は「ｐＦ（ピコファラッド）」）を、それぞれ表している。この比較実験２では、比較例１、実施例１、及び実施例２に係る各検出電極の幅の相対値を約２．０としている。なお、図１６では、比較例１を菱形のプロットで、実施例１を四角形のプロットで、実施例２を三角形のプロットで、それぞれ表すものとしている。
【００７２】
比較実験２の実験結果について説明する。図１６によれば、比較例１と実施例１とを比べると、検出電極を分岐構造とした実施例１の方が、検出電極２３８を分岐構造としない比較例１よりも検出電極の容量値が大きくなることが分かる。これは、上記した実施形態２においても説明した通り、実施例１に係る分岐型検出電極を構成する２本の分岐電極は、その間に挟まれる分岐電極間フローティング電極との間でそれぞれ静電容量を形成しているから、各分岐電極と分岐電極間フローティング電極との間を行き交う電気力線の密度が、比較例１に係る検出電極とそれに隣り合うフローティング電極との間を行き交う電気力線の密度よりも高いものとなっており、それにより分岐型検出電極の静電容量が大きくなると考えられる。実施例１と実施例２とを比べると、分岐数を３とした実施例２の方が、分岐数を２とした実施例１よりも検出電極の容量値が大きくなることが分かる。これは、実施例２に係る分岐型検出電極を構成する３本の分岐電極は、それぞれの間に挟まれる各分岐電極間フローティング電極との間でそれぞれ静電容量を形成しているから、各分岐電極と各分岐電極間フローティング電極との間を行き交う電気力線の密度が、実施例１に係る分岐型検出電極を構成する２本の分岐電極とその間に挟まれる１本の分岐電極間フローティング電極との間を行き交う電気力線の密度よりもさらに高いものとなっており、それにより実施例２に係る分岐型検出電極の静電容量がより大きくなると考えられる。
【００７３】
続いて、上記した比較実験２に係る比較例１、実施例１、及び実施例２に係る各検出電極の幅を変化させたときにその容量値がどのように変化するかについて知見を得るべく、以下の比較実験３を行った。比較実験３では、比較例１、実施例１、及び実施例２に係る各検出電極の幅を、所定の基準値（相対値１．０）とした場合と、基準値の２倍（相対値２．０）とした場合と、基準値の３倍（相対値３．０）とした場合と、で、それぞれ容量値を測定し、その結果を図１７に示す。図１７おいて、横軸は比較例１、実施例１、及び実施例２に係る各検出電極の幅に関して基準値を１．０としたときの相対値を、縦軸は容量値（単位は「ｐＦ（ピコファラッド）」）を、それぞれ表している。なお、実施例２に関しては、検出電極の幅を基準値の３倍とした場合のデータのみが欠落している。
【００７４】
比較実験３の実験結果について説明する。図１７によれば、検出電極の幅を広げるほど、検出電極の容量値が大きくなるのに加えて、検出電極を分岐構造とし且つその分岐数を多くするほど、検出電極の容量値がより大きくなることが分かる。従って、複数の検出電極のうち、Ｘ軸方向について最も端に位置するものを、分岐構造とした上でその分岐数及び幅を最適化することで、その容量値を、中央側の検出電極の容量値に近づけ、より好ましくは同等とすることが可能とされる。これにより、Ｘ軸方向について最も端に位置する分岐型検出電極の容量値と中央側の検出電極２３８の容量値との間に生じ得る差を緩和し、もってＸ軸方向についての端側において位置検出感度が局所的に低下するのを抑制して位置検出感度の平準化を図ることができる。
【００７５】
＜実施形態４＞
本発明の実施形態４を図１８から図２１によって説明する。この実施形態４では、上記した実施形態１から複数の検出電極３３８のうち、Ｘ軸方向について最も端に位置するものの構成を変更するとともに、ＣＦ基板３１１ａの非表示領域ＮＡＡに第２フローティング電極５４を設けるようにしたものを示す。なお、上記した実施形態１と同様の構造、作用及び効果について重複する説明は省略する。
【００７６】
本実施形態に係る複数の検出電極３３８のうち、Ｘ軸方向（第２方向）についても最も端に位置するものは、図１８に示すように、その幅が中央側のものの幅と同一とされている。つまり、Ｘ軸方向に沿って並ぶ複数の検出電極３３８は、全てが同一幅とされている。一方、ＣＦ基板３１１ａの非表示領域ＮＡＡには、Ｘ軸方向について最も端に位置する検出電極３３８との間で静電容量を形成する第２フローティング電極５４が設けられている。第２フローティング電極５４は、ＣＦ基板３１１ａの非表示領域ＮＡＡのうちの両長辺部、つまり各検出電極３３８、各フローティング電極（第１フローティング電極）３４５、及び駆動電極３３９が配された表示領域ＡＡに対してＸ軸方向について隣り合う両辺部にそれぞれ１つずつ設けられている。従って、第２フローティング電極５４は、表示領域ＡＡに配された各検出電極３３８、各フローティング電極３４５、及び駆動電極３３９とは平面に視て非重畳となる配置とされている。なお、各第２フローティング電極５４は、ＣＦ基板３１１ａの内面における非表示領域ＮＡＡに設けられた各位置検出配線部３４０と平面に視て重畳するとともに、アレイ基板の非表示領域ＮＡＡに設けられた各モノリシック回路部３３７と平面に視て重畳する形でそれぞれ配されている。
【００７７】
第２フローティング電極５４は、図１８に示すように、複数のフローティング電極３４５のうち、Ｘ軸方向について最も端に位置する幅狭フローティング電極３４８に対してさらに端側に隣り合う形で配されている。第２フローティング電極５４は、各検出電極３３８及び各フローティング電極３４５とは物理的に及び電気的に切り離されていて浮島状となっており、Ｘ軸方向について最も端に位置する検出電極３３８との間で静電容量を形成するものとされる。これにより、Ｘ軸方向について最も端に位置する検出電極３３８は、重畳する駆動電極３３９と、中央側に隣り合うフローティング電極３４５と、端側に隣り合う幅狭フローティング電極３４８と、に加えて、第２フローティング電極５４との間でも静電容量を形成することになるから、その容量値がより大きなものとなり、位置検出感度（Ｓ／Ｎ比）の向上を図る上で好適とされる。そして、第２フローティング電極５４は、平面形状が縦長の方形状をなすよう、Ｙ軸方向（第１方向）に沿って延在する形で設けられており、その長さ寸法が、フローティング電極３４５を構成する各分割フローティング電極（分割第１フローティング電極）３４５Ｓの長さ寸法よりも大きなものとされており、表示領域ＡＡの長辺寸法と同等かそれよりもさらに大きなものとされる。第２フローティング電極５４の長さ寸法は、検出電極３３８の長さ寸法と同等とすることもできる。
【００７８】
第２フローティング電極５４は、図１９に示すように、ＣＦ基板３１１ａの外面における非表示領域ＮＡＡに設けられている。従って、第２フローティング電極５４は、検出電極３３８及びフローティング電極３４５と同じ透明電極膜３４４からなり、ＣＦ基板３１１ａの外面において検出電極３３８及びフローティング電極３４５と同層に配されている。つまり、第２フローティング電極５４、フローティング電極３４５及び検出電極３３８を形成するに際しては、ＣＦ基板３１１ａの外面上にベタ状の透明電極膜３４４を成膜した後に、その透明電極膜３４４をパターニングすることで、相互に電気的に独立した第２フローティング電極５４、フローティング電極３４５及び検出電極３３８が形成されるようになっている。
【００７９】
続いて、第２フローティング電極５４の有無によりＸ軸方向について最も端に位置する検出電極３３８の容量値がどのように変化するかについて知見を得るべく、以下の比較実験４を行った。比較実験４では、第２フローティング電極５４を有さない場合を比較例２とし、第２フローティング電極５４を有する場合を実施例３とした上で、それぞれにおける各検出電極３３８の容量値を測定し、その結果を図２０及び図２１に示す。比較例１は、本実施形態において本段落以前に記載したＣＦ基板３１１ａから第２フローティング電極５４を除去した構成であり、実施例３は、本実施形態において本段落以前に記載したＣＦ基板３１１ａと同様の構成である。図２０が比較例２の実験結果を、図２１が実施例３の実験結果を、それぞれ示している。図２０及び図２１において、横軸はＸ軸方向についての検出電極３３８の位置を、縦軸は容量値（単位は「ｐＦ（ピコファラッド）」）を、それぞれ表している。捕捉すると、図２０及び図２１の横軸には、Ｘ軸方向について図１８の左端に位置する検出電極３３８を始点とした順番が記載されており、図１８の左端に位置する検出電極３３８が「１」となり、図１８の右端に位置する検出電極３３８が「１２」となっている。
【００８０】
比較実験４の実験結果について説明する。比較例２では、図２０に示すように、Ｘ軸方向について両端に位置する各検出電極３３８の容量値が、中央側の各検出電極３３８の容量値に比べて局所的に小さなものとなっている。従って、Ｘ軸方向について最も端の検出電極３３８とそれに隣り合う検出電極３３８との間の容量値の差は、互いに隣り合う中央側の各検出電極３３８の間の容量値の差よりも相対的に大きなものとなっている。このため、タッチ位置検出に際して、ノイズ耐性を高めるべく、Ｘ軸方向について隣り合う検出電極３３８の容量値の差分をとる検出方式を採用した場合には、上記した容量値の差が大きくなることに起因して大きなノイズが生じてしまい、位置検出感度がＸ軸方向についての端側でのみ局所的に低下することが懸念される。これに対し、実施例３では、図２１に示すように、Ｘ軸方向について両端に位置する各検出電極３３８の容量値が、中央側の各検出電極３３８の容量値と同等とされている。これは、Ｘ軸方向について両端に位置する各検出電極３３８が、非表示領域ＮＡＡに配された各第２フローティング電極５４との間で静電容量を形成することで、容量値の向上が図られていることに因るものと考えられる。従って、Ｘ軸方向について最も端の検出電極３３８とそれに隣り合う検出電極３３８との間の容量値の差は、互いに隣り合う中央側の各検出電極３３８の間の容量値の差と同等とされている。これにより、タッチ位置検出に際して、ノイズ耐性を高めるべく、Ｘ軸方向について隣り合う検出電極３３８の容量値の差分をとる検出方式を採用した場合であっても、Ｘ軸方向について最も端の検出電極３３８がノイズの影響を受け難いものとなり、位置検出感度が端側において局所的に低下する事態が生じ難いものとなる。
【００８１】
以上説明したように本実施形態によれば、第１方向（Ｙ軸方向）に沿って延在するとともに第１方向と直交する第２方向（Ｘ軸方向）に沿って並んで配される複数の検出電極３３８と、複数の検出電極３３８に対して平面視においてそれぞれ重畳する形で第２方向に沿って延在するとともに第１方向に沿って並んで配されて検出電極３３８との間で静電容量を形成する複数の駆動電極３３９と、複数の検出電極３３８に対して平面視においてそれぞれ隣り合う形で配されるとともに複数の駆動電極３３９に対して平面視において重畳する形で配されていて隣り合う検出電極３３８との間と、重畳する駆動電極３３９との間と、でそれぞれ静電容量を形成する複数のフローティング電極（第１フローティング電極）３４５と、複数の検出電極３３８のうち第２方向について最も端に位置するものに対して第２方向について端側に隣り合うフローティング電極３４５に対してさらに第２方向について端側に隣り合う形で配されるとともに駆動電極３３９とは非重畳となるよう配されていて最も端に位置する検出電極３３８との間で静電容量を形成する第２フローティング電極５４と、を備える。
【００８２】
このようにすれば、検出電極３３８とそれに重畳する駆動電極３３９との間に静電容量が形成されるのに加えて、フローティング電極３４５とそれに隣り合う検出電極３３８との間と、フローティング電極３４５とそれに重畳する駆動電極３３９との間と、にそれぞれ静電容量が形成されるので、位置検出感度（Ｓ／Ｎ比）がより高いものとなる。ところで、第２方向に沿って並ぶ複数の検出電極３３８のうち第２方向について最も端に位置するものは、中央側に位置するものに比べると、隣り合うフローティング電極３４５との間に形成される静電容量が相対的に小さくなりがちとなってその容量値の差が大きくなる傾向にあるため、位置検出に際して大きなノイズが生じて位置検出感度が局所的に低下することが懸念される。その点、複数の検出電極３３８のうち第２方向について最も端に位置するものに対して第２方向について端側に隣り合うフローティング電極３４５に対してさらに第２方向について端側に隣り合う形で配されるとともに駆動電極３３９とは非重畳となるよう配される第２フローティング電極５４が、最も端に位置する検出電極３３８との間で静電容量を形成しているから、最も端に位置する検出電極３３８の静電容量が大きなものとなり、中央側の検出電極３３８との間に生じ得る容量値の差が緩和される。これにより、位置検出に際して最も端に位置する検出電極３３８がノイズの影響を受け難いものとなり、位置検出感度が端側において局所的に低下する事態が生じ難くなる。
【００８３】
また、フローティング電極３４５は、複数の駆動電極３３９に対して個々に重畳するよう第１方向について分割される複数の分割フローティング電極（分割第１フローティング電極）３４５Ｓから構成されるのに対し、第２フローティング電極５４は、分割フローティング電極３４５Ｓよりも第１方向について長くなるよう延在する形で設けられている。このようにすれば、位置検出に際して、複数の駆動電極３３９の中のある駆動電極３３９と、フローティング電極３４５を構成する複数の分割フローティング電極３４５Ｓの中の上記駆動電極３３９と重畳する分割フローティング電極３４５Ｓとの間に形成される静電容量が、上記駆動電極３３９に対して隣り合う他の駆動電極３３９の電位の影響を受け難いものとなる。これに対し、第２フローティング電極５４は、駆動電極３３９とは非重畳となる配置とされているから、複数の駆動電極３３９の電位の影響を受け難いものとなっている。従って、第２フローティング電極５４を、分割フローティング電極３４５Ｓよりも第１方向について長くなるよう延在する形で設けることができ、それにより隣り合う検出電極３３８との間に形成される静電容量をより大きなものとすることができる。
【００８４】
また、第２フローティング電極５４は、フローティング電極３４５と同一の透明電極膜からなる。このようにすれば、フローティング電極３４５及び第２フローティング電極５４を設けるのに要するコストを削減することができる。
【００８５】
＜実施形態５＞
本発明の実施形態５を図２２によって説明する。この実施形態５では、上記した実施形態４から第２フローティング電極４５４の形成層を変更したものを示す。なお、上記した実施形態４と同様の構造、作用及び効果について重複する説明は省略する。
【００８６】
本実施形態に係る第２フローティング電極４５４は、図２２に示すように、検出電極４３８及びフローティング電極４４５の形成層とは別の形成層に配されており、それら形成層間に絶縁層５５が介在する形で設けられている。詳しくは、検出電極４３８及びフローティング電極４４５を構成する透明電極膜（第１透明電極膜）４４４がＣＦ基板４１１ａの外面における最下層に配されるのに対し、その上層側に絶縁層５５が積層される形で配されている。そして、第２フローティング電極４５４は、絶縁層５５の上層側に積層される第２透明電極膜５６からなるものとされる。このような構成によれば、第２フローティング電極４５４と、検出電極４３８及びフローティング電極４４５と、を絶縁させる確実性が高いものとなる。
【００８７】
以上説明したように本実施形態によれば、フローティング電極４４５の形成層と第２フローティング電極４５４の形成層とが互いに異なるものとされていてそれらの間に介在する形で配される絶縁層５５を備えている。このようにすれば、絶縁層５５によりフローティング電極４４５と第２フローティング電極４５４とを絶縁させる確実性が高いものとなる。
【００８８】
＜実施形態６＞
本発明の実施形態６を図２３によって説明する。この実施形態６では、上記した実施形態１に記載した構成に、実施形態４に記載した第２フローティング電極５５４を組み合わせるようにしたものを示す。なお、上記した実施形態１，４と同様の構造、作用及び効果について重複する説明は省略する。
【００８９】
本実施形態に係る第２フローティング電極５５４は、図２３に示すように、ＣＦ基板５１１ａの非表示領域ＮＡＡにおいて、複数のフローティング電極５４５のうち、Ｘ軸方向について最も端に位置する幅狭フローティング電極５４８に対してさらに端側に隣り合う形で配されている。第２フローティング電極５５４は、各検出電極５３８及び各フローティング電極５４５とは物理的に及び電気的に切り離されていて浮島状となっており、Ｘ軸方向について最も端に位置する幅広検出電極５４９との間で静電容量を形成するものとされる。これにより、Ｘ軸方向について最も端に位置する幅広検出電極５４９は、重畳する駆動電極５３９と、中央側に隣り合うフローティング電極５４５と、端側に隣り合う幅狭フローティング電極５４８と、に加えて、第２フローティング電極５５４との間でも静電容量を形成することになるから、その容量値がより大きなものとなり、位置検出感度（Ｓ／Ｎ比）の向上を図る上で好適とされる。
【００９０】
＜実施形態７＞
本発明の実施形態７を図２４によって説明する。この実施形態７では、上記した実施形態２に記載した構成に、実施形態４に記載した第２フローティング電極６５４を組み合わせるようにしたものを示す。なお、上記した実施形態２，４と同様の構造、作用及び効果について重複する説明は省略する。
【００９１】
本実施形態に係る第２フローティング電極６５４は、図２４に示すように、ＣＦ基板６１１ａの非表示領域ＮＡＡにおいて、複数のフローティング電極６４５のうち、Ｘ軸方向について最も端に位置する幅狭フローティング電極６４８に対してさらに端側に隣り合う形で配されている。第２フローティング電極６５４は、各検出電極６３８及び各フローティング電極６４５とは物理的に及び電気的に切り離されていて浮島状となっており、Ｘ軸方向について最も端に位置する分岐型検出電極６５０との間で静電容量を形成するものとされる。これにより、Ｘ軸方向について最も端に位置する分岐型検出電極６５０は、重畳する駆動電極６３９と、中央側に隣り合うフローティング電極６４５と、端側に隣り合う幅狭フローティング電極６４８と、分岐電極６５１間に挟まれる分岐電極間フローティング電極６５２と、に加えて、第２フローティング電極６５４との間でも静電容量を形成することになるから、その容量値がより大きなものとなり、位置検出感度（Ｓ／Ｎ比）の向上を図る上で好適とされる。
【００９２】
＜実施形態８＞
本発明の実施形態８を図２５によって説明する。この実施形態８では、上記した実施形態１に記載したＣＦ基板７１１ａの非表示領域ＮＡＡに接地電極５７を設けるようにしたものを示す。なお、上記した実施形態１と同様の構造、作用及び効果について重複する説明は省略する。
【００９３】
本実施形態に係るＣＦ基板７１１ａの非表示領域ＮＡＡには、図２５に示すように、接地電極（グランド電極）５７が設けられている。接地電極５７は、検出電極７３８及びフローティング電極７４５と同じ透明電極膜７４４からなり、ＣＦ基板７１１ａの外面において検出電極７３８及びフローティング電極７４５と同層に配されている。接地電極５７は、検出電極７３８及びフローティング電極７４５群をＸ軸方向についての両側から挟み込む形で一対配されている。つまり、接地電極５７は、非表示領域ＮＡＡのうち、表示領域ＡＡ（タッチ領域）をＸ軸方向について挟んだ左右両側にそれぞれ配されている。そして、接地電極５７は、表示領域ＡＡの長辺寸法と同等の長さを有するようＹ軸方向に沿って延在するとともに、アレイ基板（図示は省略する）の非表示領域ＮＡＡに設けられたモノリシック回路部７３７と平面に視て重畳する形で配されている。これにより、モノリシック回路部７３７からノイズが生じた場合でも、そのノイズを各接地電極５７によって遮蔽することができ、もってタッチパネルパターンの位置検出性能が劣化し難いものとなる。特に、複数の検出電極７３８のうち、Ｘ軸方向について最も端に位置する幅広検出電極７４９の容量値に変動などが生じ難いものとなるので、位置検出感度が端側において局所的に低下する事態がより生じ難いものとなる。さらには、接地電極５７は、位置検出配線部７４０とも平面に視て重畳する形で配されている。これにより、位置検出配線部７４０と検出電極７３８との間に不要な容量カップリングが生じるのを避けることができ、もってタッチパネルパターンの位置検出性能がより劣化し難いものとなる。
【００９４】
＜実施形態９＞
本発明の実施形態９を図２６によって説明する。この実施形態９では、上記した実施形態２に記載したＣＦ基板８１１ａの非表示領域ＮＡＡに、上記した実施形態８に記載した接地電極８５７を設けるようにしたものを示す。なお、上記した実施形態２，８と同様の構造、作用及び効果について重複する説明は省略する。
【００９５】
本実施形態に係る接地電極８５７によれば、図２６に示すように、モノリシック回路部８３７からノイズが生じた場合でも、そのノイズを遮蔽することができ、もってタッチパネルパターンの位置検出性能が劣化し難いものとなる。特に、複数の検出電極８３８のうち、Ｘ軸方向について最も端に位置する分岐型検出電極８５０の容量値に変動などが生じ難いものとなるので、位置検出感度が端側において局所的に低下する事態がより生じ難いものとなる。
【００９６】
＜他の実施形態＞
本発明は上記記述及び図面によって説明した実施形態に限定されるものではなく、例えば次のような実施形態も本発明の技術的範囲に含まれる。
（１）上記した各実施形態では、検出電極（幅広検出電極及び分岐型検出電極を含む）、フローティング電極（幅狭フローティング電極を含む）、分岐電極間フローティング電極、第２フローティング電極、及び接地電極を、それぞれＣＦ基板の外面に設けるようにした場合を示したが、例えば、ＣＦ基板の表側にカバーパネルを積層する形で配置する構成を採る場合には、これらの各電極の中から適宜に選択される１つまたは複数を、上記したカバーパネルにおけるＣＦ基板側の板面に設けるようにすることも可能である。
【００９７】
（２）上記した実施形態４〜９では、第２フローティング電極及び接地電極を、それぞれＣＦ基板の外面に設けるようにした場合を示したが、これら第２フローティング電極及び接地電極のいずれかをＣＦ基板の内面に設けるようにすることも可能である。
【００９８】
（３）上記した各実施形態では、ＣＦ基板の内面に駆動電極を設けるようにした場合を示したが、例えばアレイ基板の内面に設けられた共通電極を、上記した駆動電極と同様の平面構成となるようパターニングするとともに、駆動電極の機能を併有させるようにすることも可能である。その場合、アレイ基板の共通電極に、表示のための信号と、位置検出のための信号と、を時間的に前後にずらして入力すればよい。
【００９９】
（４）上記した実施形態１，６，８に記載した幅広検出電極の具体的な幅（中央側の検出電極の幅との差）については、図示以外にも適宜に変更可能である。
【０１００】
（５）上記した実施形態２，３，７，９に記載した分岐型検出電極の分岐数、各分岐電極の幅、分岐電極間フローティング電極の幅、などの具体的な数値については、図示以外にも適宜に変更可能である。
【０１０１】
（６）上記した実施形態３に記載した構成に、実施形態４，５に記載した第２フローティング電極を組み合わせて設けるようにすることも可能である。
【０１０２】
（７）上記した実施形態３に記載した構成に、実施形態８，９に記載した接地電極を組み合わせて設けるようにすることも可能である。
【０１０３】
（８）上記した実施形態６，７に記載した構成に、実施形態５に記載した構成（第２フローティング電極を検出電極及びフローティング電極とは異なる形成層に設ける構成）を組み合わせることも可能である。
【０１０４】
（９）上記した実施形態８，９に記載した接地電極を、実施形態５に記載した第２フローティング電極と同様に、検出電極及びフローティング電極とは異なる形成層に設ける構成とすることも可能である。
【０１０５】
（１０）上記した各実施形態では、アレイ基板側に画素電極と共通電極とが共に配されるとともに、画素電極と共通電極とが間に絶縁膜を介在させた形で重畳する構成の液晶パネル（ＦＦＳモードの液晶パネル）を例示したが、アレイ基板側に画素電極が配されるとともにＣＦ基板側に共通電極が配されるとともに画素電極と共通電極とが間に液晶層を介在させた形で重畳する構成の液晶パネル（ＶＡモードの液晶パネル）にも本発明は適用可能である。それ以外にも、いわゆるＩＰＳモードの液晶パネルにも本発明は適用可能である。
【０１０６】
（１１）上記した各実施形態に記載した構成において、ダミー配線部、モノリシック回路部などを省略することも可能である。
【０１０７】
（１２）上記した各実施形態では、タッチパネルパターンのタッチ領域と、液晶パネルの表示領域と、が互いに一致する構成のものを示したが、両者が完全に一致している必要はなく、例えばタッチパネルパターンのタッチ領域が、液晶パネルの表示領域の全域と、非表示領域の一部（表示領域寄りの部分）とに跨る範囲に設定されていてもよい。
【０１０８】
（１３）上記した各実施形態では、半導体膜をＣＧシリコン薄膜（多結晶シリコン薄膜）とした場合を例示したが、それ以外にも、例えば酸化物半導体やアモルファスシリコンを半導体膜の材料として用いることも可能である。
【０１０９】
（１４）上記した各実施形態では、液晶パネルのカラーフィルタが赤色、緑色及び青色の３色構成とされたものを例示したが、赤色、緑色及び青色の各着色部に、黄色の着色部を加えて４色構成としたカラーフィルタを備えたものにも本発明は適用可能である。
【０１１０】
（１５）上記した各実施形態では、外部光源であるバックライト装置を備えた透過型の液晶表示装置を例示したが、本発明は、外光を利用して表示を行う反射型液晶表示装置にも適用可能であり、その場合はバックライト装置を省略することができる。また、本発明は、半透過型液晶表示装置にも適用可能である。
【０１１１】
（１６）上記した各実施形態では、小型または中小型に分類され、携帯型情報端末、携帯電話（スマートフォンを含む）、ノートパソコン（タブレット型ノートパソコンを含む）、デジタルフォトフレーム、携帯型ゲーム機などの各種電子機器などに用いされる液晶パネルを例示したが、画面サイズが例えば２０インチ〜９０インチで、中型または大型（超大型）に分類される液晶パネルにも本発明は適用可能である。その場合、液晶パネルをテレビ受信装置、電子看板（デジタルサイネージ）、電子黒板などの電子機器に用いることが可能とされる。
【０１１２】
（１７）上記した各実施形態では、一対の基板間に液晶層が挟持された構成とされる液晶パネルについて例示したが、一対の基板間に液晶材料以外の機能性有機分子を挟持した表示パネルについても本発明は適用可能である。
【０１１３】
（１８）上記した各実施形態では、液晶パネルのスイッチング素子としてＴＦＴを用いたが、ＴＦＴ以外のスイッチング素子（例えば薄膜ダイオード（ＴＦＤ））を用いた液晶パネルを備えた液晶表示装置にも適用可能であり、カラー表示する液晶パネルを備えた液晶表示装置以外にも、白黒表示する液晶パネルを備えた液晶表示装置にも適用可能である。
【０１１４】
（１９）上記した各実施形態では、表示パネルとして液晶パネルを用いた液晶表示装置を例示したが、他の種類の表示パネル（ＰＤＰ（プラズマディスプレイパネル）、有機ＥＬパネル、ＥＰＤ（電気泳動ディスプレイパネル）など）を用いた表示装置にも本発明は適用可能である。その場合、バックライト装置を省略することも可能である。
【符号の説明】
【０１１５】
１０...液晶表示装置（位置入力機能付き表示装置）、１１...液晶パネル（表示パネル）、１１ａ，１１１ａ，３１１ａ，４１１ａ，５１１ａ，６１１ａ，７１１ａ，８１１ａ...アレイ基板、１１ｂ...ＣＦ基板（対向基板）、１９...ＴＦＴ（表示素子）、３８，１３８，２３８，３３８，４３８，５３８，６３８，７３８，８３８...検出電極（第１位置検出電極）、３９，１３９，３３９，５３９，６３９...駆動電極（第２位置検出電極）、４４，３４４，４４４...透明電極膜、４５，１４５，３４５，４４５，５４５，５４５，６４５，７４５...フローティング電極（第１フローティング電極）、４５Ｓ，３４５Ｓ...分割フローティング電極（分割第１フローティング電極）、４８，１４８，２４８，３４８，５４８，６４８...幅狭フローティング電極、４９，５４９，７４９...幅広検出電極（幅広第１位置検出電極）、５０，２５０，６５０，８５０...分岐型検出電極（分岐型第１位置検出電極）、５１，２５１，６５１...分岐電極、５２，２５２，６５２...分岐電極間フローティング電極、５４，４５４，５５４，６５４...第２フローティング電極、５５...絶縁層、ＡＡ...表示領域、ＴＰＰ...タッチパネルパターン（位置入力装置）
【図１】
2016084728.tif 000003
【図２】
2016084728.tif 000004
【図３】
2016084728.tif 000005
【図４】
2016084728.tif 000006
【図５】
2016084728.tif 000007
【図６】
2016084728.tif 000008
【図７】
2016084728.tif 000009
【図８】
2016084728.tif 000010
【図９】
2016084728.tif 000011
【図１０】
2016084728.tif 000012
【図１１】
2016084728.tif 000013
【図１２】
2016084728.tif 000014
【図１３】
2016084728.tif 000015
【図１４】
2016084728.tif 000016
【図１５】
2016084728.tif 000017
【図１６】
2016084728.tif 000018
【図１７】
2016084728.tif 000019
【図１８】
2016084728.tif 000020
【図１９】
2016084728.tif 000021
【図２０】
2016084728.tif 000022
【図２１】
2016084728.tif 000023
【図２２】
2016084728.tif 000024
【図２３】
2016084728.tif 000025
【図２４】
2016084728.tif 000026
【図２５】
2016084728.tif 000027
【図２６】
2016084728.tif 000028
【国際調査報告】
2016084728.tif 000029
2016084728.tif 000030
2016084728.tif 000031
2016084728.tif 000032
2016084728.tif 000033
2016084728.tif 000034
2016084728.tif 000035
2016084728.tif 000036
2016084728.tif 000037
2016084728.tif 000038